(57)【要約】  本発明の一実施例に係る無線通信システムにおいて、チャンネル状態情報−参照信号(ｃｈａｎｎｅｌ ｓｔａｔｅ ｉｎｆｏｒｍａｔｉｏｎ−ｒｅｆｅｒｅｎｃｅ ｓｉｇｎａｌ；ＣＳＩ−ＲＳ)ベースのチャンネル状態報告方法であって、前記方法は、端末によって行われ、プロセッシング時間減少(ｓｈｏｒｔｅｎｅｄ ｐｒｏｃｅｓｓｉｎｇ ｔｉｍｅ)の設定された前記端末が同時に更新又は計算可能な最大のＣＳＩプロセスの数に関する端末能力(ｃａｐａｂｉｌｉｔｙ)情報を基地局に送信するステップと、前記基地局から非周期的ＣＳＩ要請を受信するステップと、前記非周期的ＣＳＩ要請に応じて前記端末能力情報に基づいて、前記プロセッシング時間減少のために設定された時点のＣＳＩベースリソースでＣＳＩを更新又は計算して、前記更新又は計算されたＣＳＩを前記基地局に送信するステップを含んでもよい。【選択図】図６
2019532545.tif 000002
【特許請求の範囲】
【請求項１】
無線通信システムにおいて、チャンネル状態情報−参照信号(ｃｈａｎｎｅｌ ｓｔａｔｅ ｉｎｆｏｒｍａｔｉｏｎ−ｒｅｆｅｒｅｎｃｅ ｓｉｇｎａｌ；ＣＳＩ−ＲＳ)ベースのチャンネル状態報告方法であって、前記方法は、端末によって行われ、
プロセッシング時間減少(ｓｈｏｒｔｅｎｅｄ ｐｒｏｃｅｓｓｉｎｇ ｔｉｍｅ)の設定された前記端末が同時に更新又は計算可能な最大のＣＳＩプロセスの数に関する端末能力(ｃａｐａｂｉｌｉｔｙ)情報を基地局に送信するステップと、
前記基地局から非周期的ＣＳＩ要請を受信するステップと、
前記非周期的ＣＳＩ要請に応じて、前記端末能力情報に基づいて、前記プロセッシング時間減少のために設定された時点のＣＳＩベースリソースでＣＳＩを更新又は計算して、前記更新又は計算されたＣＳＩを前記基地局に送信するステップを含むことを特徴とする、チャンネル状態報告方法。
【請求項２】
前記端末能力情報は、前記端末に設定されたニューマロロジーごとに及び／又は前記端末に設定されたプロセッシング時間ごとに、前記端末が同時に更新又は計算可能な最大のＣＳＩプロセスの数を含むことを特徴とする、請求項１に記載のチャンネル状態報告方法。
【請求項３】
前記更新又は計算されたＣＳＩがサブフレームｎで送信される場合、前記更新又は計算されたＣＳＩが測定されたＣＳＩベースリソースは、サブフレームｎ−ｋに属し、ここで、ｋの最小値は、プロセッシング時間減少の設定されていない端末のための最小値未満の整数に設定されることを特徴とする、請求項１に記載のチャンネル状態報告方法。
【請求項４】
前記サブフレームｎ−ｋは、前記非周期的ＣＳＩ要請が送信されるサブフレームｎと連結されたＣＳＩサブフレーム集合のうち、前記サブフレームｎと最も近いサブフレームであることを特徴とする、請求項３に記載のチャンネル状態報告方法。
【請求項５】
前記ｋの最小値は、周波数分割デュプレックス(ｆｒｅｑｕｅｎｃｙ ｄｉｖｉｓｉｏｎ ｄｕｐｌｅｘ；ＦＤＤ)のためのサービングセルに対しては、５未満の整数であることを特徴とする、請求項３に記載のチャンネル状態報告方法。
【請求項６】
前記ｋの最小値は、時間分割デュプレックス(ｔｉｍｅ ｄｉｖｉｓｉｏｎ ｄｕｐｌｅｘ；ＴＤＤ)のためのサービングセルに対しては、前記端末のためのＣＳＩプロセスが２又は３個である場合、４未満の整数であり、前記端末のためのＣＳＩプロセスが４個である場合、５未満の整数であることを特徴とする、請求項３に記載のチャンネル状態報告方法。
【請求項７】
前記非周期的ＣＳＩ要請がサブフレームｍで受信される場合、前記更新又は計算されたＣＳＩは、サブフレームｍ＋ｌで送信され、ｌは４未満の整数に設定されることを特徴とする、請求項１に記載のチャンネル状態報告方法。
【請求項８】
前記ＣＳＩベースリソースを含むサブフレームは、前記非周期的ＣＳＩ要請が受信されたサブフレームと異なることを特徴とする、請求項１に記載のチャンネル状態報告方法。
【請求項９】
無線通信システムにおいて、チャンネル状態情報−参照信号(ｃｈａｎｎｅｌ ｓｔａｔｅ ｉｎｆｏｒｍａｔｉｏｎ−ｒｅｆｅｒｅｎｃｅ ｓｉｇｎａｌ；ＣＳＩ−ＲＳ)ベースのチャンネル状態報告を行う端末であって、 
送信機及び受信機と、
前記送信機及び受信機を制御するプロセッサーを含み、
前記プロセッサーは、
プロセッシング時間減少(ｓｈｏｒｔｅｎｅｄ ｐｒｏｃｅｓｓｉｎｇ ｔｉｍｅ)の設定された前記端末が同時に更新又は計算可能な最大のＣＳＩプロセスの数に関する端末能力(ｃａｐａｂｉｌｉｔｙ)情報を基地局に送信して、
前記基地局から非周期的ＣＳＩ要請を受信して、
前記非周期的ＣＳＩ要請に応じて、前記端末能力情報に基づいて、前記プロセッシング時間減少のために設定された時点のＣＳＩベースリソースでＣＳＩを更新又は計算して、前記更新又は計算されたＣＳＩを前記基地局に送信するように構成することを特徴とする、端末。
【請求項１０】
前記端末能力情報は、前記端末に設定されたニューマロロジーごとに及び／又は前記端末に設定されたプロセッシング時間ごとに、前記端末が同時に更新又は計算可能な最大のＣＳＩプロセスの数を含むことを特徴とする、請求項９に記載の端末。
【請求項１１】
前記更新又は計算されたＣＳＩがサブフレームｎで送信される場合、前記更新又は計算されたＣＳＩが測定されたＣＳＩベースリソースは、サブフレームｎ−ｋに属し、ここで、ｋの最小値はプロセッシング時間減少の設定されていない端末のための最小値未満の整数に設定されることを特徴とする、請求項９に記載の端末。
【請求項１２】
前記サブフレームｎ−ｋは、前記非周期的ＣＳＩ要請が送信されるサブフレームｎと連結されたＣＳＩサブフレーム集合のうち、前記サブフレームｎと最も近いサブフレームであることを特徴とする、請求項１１に記載の端末。
【請求項１３】
前記ｋの最小値は、周波数分割デュプレックス(ｆｒｅｑｕｅｎｃｙ ｄｉｖｉｓｉｏｎ ｄｕｐｌｅｘ；ＦＤＤ)のためのサービングセルに対しては、５未満の整数であることを特徴とする、請求項１１に記載の端末。
【請求項１４】
前記ｋの最小値は、時間分割デュプレックス(ｔｉｍｅ ｄｉｖｉｓｉｏｎ ｄｕｐｌｅｘ；ＴＤＤ)のためのサービングセルに対しては、前記端末のためのＣＳＩプロセスが２又は３個である場合、４未満の整数であり、前記端末のためのＣＳＩプロセスが４個である場合、５未満の整数であることを特徴とする、請求項１１に記載の端末。
【請求項１５】
前記非周期的ＣＳＩ要請がサブフレームｍで受信される場合、前記更新又は計算されたＣＳＩは、サブフレームｍ＋ｌで送信され、ｌは４未満の整数に設定されることを特徴とする、請求項９に記載の端末。
【請求項１６】
前記ＣＳＩベースリソースを含むサブフレームは、前記非周期的ＣＳＩ要請が受信されたサブフレームと異なることを特徴とする、請求項９に記載の端末。
【発明の詳細な説明】
【技術分野】
【０００１】
本発明は、無線通信システムに関し、より詳細には、チャンネル状態報告のための方法及びそのための装置に関する。
【背景技術】
【０００２】
パケットデータのレイテンシ(ｌａｔｅｎｃｙ)は、重要な性能メートル(ｍｅｔｒｉｃ)の１つであり、これを減らしてより早いインターネットアクセスを最終ユーザ(ｅｎｄ ｕｓｅｒ)に提供することは、ＬＴＥのみならず、次世代移動通信システム、いわゆる新ＲＡＴ(ｎｅｗ ＲＡＴ)の設計においても重要な課題の１つといえる。
【０００３】
本発明は、このようなレイテンシの減少を支援する無線通信システムにおけるチャンネル状態報告に関する内容を取り扱う。
【発明の概要】
【発明が解決しようとする課題】
【０００４】
本発明は、チャンネル状態報告のための方法を提案しようとする。
【０００５】
本発明で遂げようとする技術的目的は以上で言及した事項に限定されず、言及していない別の技術的課題は、以下に説明する本発明の実施例から、本発明の属する技術の分野における通常の知識を有する者によって考慮され得る。
【課題を解決するための手段】
【０００６】
本発明の一実施例に係る無線通信システムにおいて、チャンネル状態情報−参照信号(ｃｈａｎｎｅｌ ｓｔａｔｅ ｉｎｆｏｒｍａｔｉｏｎ−ｒｅｆｅｒｅｎｃｅ ｓｉｇｎａｌ；ＣＳＩ−ＲＳ)ベースのチャンネル状態報告方法であって、前記方法は、端末によって行われ、プロセッシング時間減少(ｓｈｏｒｔｅｎｅｄ ｐｒｏｃｅｓｓｉｎｇ ｔｉｍｅ)の設定された前記端末が同時に更新又は計算可能な最大のＣＳＩプロセスの数に関する端末能力(ｃａｐａｂｉｌｉｔｙ)情報を基地局に送信するステップと、前記基地局から非周期的なＣＳＩ要請を受信するステップと、前記非周期的ＣＳＩ要請に応じて、前記端末能力情報に基づいて、前記プロセッシング時間減少のために設定された時点のＣＳＩベースリソースでＣＳＩを更新又は計算して、前記更新又は計算されたＣＳＩを前記基地局に送信するステップを含んでもよい。
【０００７】
追加又は代案として、前記端末能力情報は、前記端末に設定されたニューマロロジーごとに及び/又は前記端末に設定されたプロセッシング時間ごとに、前記端末が同時に更新又は計算可能な最大のＣＳＩプロセスの数を含んでもよい。
【０００８】
追加又は代案として、前記更新又は計算されたＣＳＩがサブフレームｎで送信される場合、前記更新又は計算されたＣＳＩが測定されたＣＳＩベースリソースは、サブフレームｎ−ｋに属し、ここで、ｋの最小値は、プロセッシング時間減少の設定されていない端末のための最小値未満の整数に設定されてもよい。
【０００９】
追加又は代案として、前記サブフレームｎ−ｋは、前記非周期的ＣＳＩ要請が送信されるサブフレームｎと連結されたＣＳＩサブフレーム集合のうち、前記サブフレームｎと最も近いサブフレームであってもよい。
【００１０】
追加又は代案として、前記ｋの最小値は、周波数分割デュプレックス(ｆｒｅｑｕｅｎｃｙ ｄｉｖｉｓｉｏｎ ｄｕｐｌｅｘ；ＦＤＤ)のためのサービングセルに対しては、５未満の整数であってもよい。
【００１１】
追加又は代案として、前記ｋの最小値は、時間分割デュプレックス(ｔｉｍｅ ｄｉｖｉｓｉｏｎ ｄｕｐｌｅｘ；ＴＤＤ)のためのサービングセルに対しては、前記端末のためのＣＳＩプロセスが２又は３個である場合、４未満の整数であってもよく、前記端末のためのＣＳＩプロセスが４個である場合、５未満の整数であってもよい。
【００１２】
追加又は代案として、前記非周期的ＣＳＩ要請がサブフレームｍで受信される場合、前記更新又は計算されたＣＳＩは、サブフレームｍ+ｌで送信され、ｌは４未満の整数に設定されてもよい。
【００１３】
追加又は代案として、前記ＣＳＩベースリソースを含むサブフレームは、前記非周期的ＣＳＩ要請が受信されたサブフレームと異なってもよい。
【００１４】
本発明の別の一実施例に係る無線通信システムにおいて、チャンネル状態情報−参照信号(ｃｈａｎｎｅｌ ｓｔａｔｅ ｉｎｆｏｒｍａｔｉｏｎ−ｒｅｆｅｒｅｎｃｅ ｓｉｇｎａｌ；ＣＳＩ−ＲＳ)ベースのチャンネル状態報告を行う端末であって、送信機と、受信機と、前記送信機及び受信機を制御するプロセッサーを含み、前記プロセッサーは、プロセッシング時間減少(ｓｈｏｒｔｅｎｅｄ ｐｒｏｃｅｓｓｉｎｇ ｔｉｍｅ)の設定された前記端末が同時に更新又は計算可能な最大のＣＳＩプロセスの数に関する端末能力(ｃａｐａｂｉｌｉｔｙ)情報を基地局に送信して、前記基地局から非周期的ＣＳＩ要請を受信して、前記非周期的ＣＳＩ要請に応じて、前記端末能力情報に基づいて、前記プロセッシング時間減少のために設定された時点のＣＳＩベースリソースでＣＳＩを更新又は計算して、前記更新又は計算されたＣＳＩを前記基地局に送信するように構成されてもよい。
【００１５】
追加又は代案として、前記端末能力情報は、前記端末に設定されたニューマロロジーごとに及び／又は前記端末に設定されたプロセッシング時間ごとに、前記端末が同時に更新又は計算可能な最大のＣＳＩプロセスの数を含んでもよい。
【００１６】
追加又は代案として、前記更新又は計算されたＣＳＩがサブフレームｎで送信される場合、前記更新又は計算されたＣＳＩが測定されたＣＳＩベースリソースは、サブフレームｎ−ｋに属し、ここで、ｋの最小値は、プロセッシング時間減少の設定されていない端末のための最小値未満の整数に設定されてもよい。
【００１７】
追加又は代案として、前記サブフレームｎ−ｋは、前記非周期的ＣＳＩ要請が送信されるサブフレームｎと連結されたＣＳＩサブフレーム集合のうち、前記サブフレームｎと最も近いサブフレームであってもよい。
【００１８】
追加又は代案として、前記ｋの最小値は、周波数分割デュプレックス(ｆｒｅｑｕｅｎｃｙ ｄｉｖｉｓｉｏｎ ｄｕｐｌｅｘ；ＦＤＤ)のためのサービングセルに対しては、５未満の整数であってもよい。
【００１９】
追加又は代案として、前記ｋの最小値は、時間分割デュプレックス(ｔｉｍｅ ｄｉｖｉｓｉｏｎ ｄｕｐｌｅｘ；ＴＤＤ)のためのサービングセルに対しては、前記端末のためのＣＳＩプロセスが２又は３個である場合、４未満の整数であってもよく、前記端末のためのＣＳＩプロセスが４個である場合、５未満の整数であってもよい。
【００２０】
追加又は代案として、前記非周期的ＣＳＩ要請が、サブフレームｍで受信される場合、前記更新又は計算されたＣＳＩは、サブフレームｍ+ｌで送信され、ｌは４未満の整数に設定されてもよい。
【００２１】
追加又は代案として、前記ＣＳＩベースリソースを含むサブフレームは、前記非周期的ＣＳＩ要請が受信されたサブフレームと異なってもよい。
【００２２】
上述した本発明の様態は、本発明の好適な実施例の一部に過ぎず、本願発明の技術的特徴が反映された様々な実施例が、当該技術の分野における通常的な知識を有する者にとって、以下に詳述する本発明の詳細な説明に基づいて導出され理解され得るだろう。
【発明の効果】
【００２３】
本発明の実施例によれば、チャンネル状態測定及び報告を効率的に行うことができる。
【００２４】
本発明で得られる効果は以上に言及した効果に制限されなく、言及しなかった他の効果は以下の記載から本発明が属する当該技術の分野における通常的な知識を有する者に明確に理解可能であろう。
【図面の簡単な説明】
【００２５】
以下に添付する図面は、本発明に関する理解を助けるために詳細な説明の一部として含まれるものであり、本発明に関する実施例を提供し、詳細な説明と共に本発明の技術的思想を説明する。
【図１】無線通信システムにおいて用いられる無線フレーム構造の一例を示す図である。
【図２】無線通信システムにおいて下りリンク/上りリンク(ＤＬ／ＵＬ)スロット構造の一例を示す図である。
【図３】３ＧＰＰ ＬＥＴ/ＬＥＴ−Ａシステムにおいて用いられる下りリンク(ｄｏｗｎｌｉｎｋ, ＤＬ)サブフレーム構造を例示する図である。
【図４】３ＧＰＰ ＬＥＴ/ＬＥＴ−Ａシステムにおいて用いられる上りリンク(ｕｐｌｉｎｋ, ＵＬ)サブフレーム構造の一例を示す図である。
【図５】本発明の一実施例に係る端末の動作を示す図である。
【図６】本発明の実施例を具現するための装置のブロック図である。
【発明を実施するための形態】
【００２６】
以下、本発明に係る好適な実施の形態を添付の図面を参照して詳しく説明する。添付の図面と共に以下に開示される詳細な説明は、本発明の例示的な実施の形態を説明するためのもので、本発明を実施できる唯一の実施の形態を示すためのものではない。以下の詳細な説明は、本発明の完全な理解を提供するために具体的な細部事項を含む。しかし、このような具体的な細部事項無しにも本発明を実施可能であるということが当業者には理解できる。
【００２７】
場合によって、本発明の概念が曖昧になることを避けるために、公知の構造及び装置が省略されることもあり、各構造及び装置の核心機能を中心にしたブロック図の形式で図示されることもある。また、本明細書全体を通じて同一の構成要素には同一の図面符号を付して説明する。
【００２８】
本発明において、ユーザ機器(ｕｓｅｒ  ｅｑｕｉｐｍｅｎｔ，ＵＥ)は、固定していても、移動性を有していてもよいもので、基地局(ｂａｓｅ  ｓｔａｔｉｏｎ，ＢＳ)と通信してユーザデータ及び／又は各種制御情報を送受信する各種機器を含む。ＵＥを、端末(Ｔｅｒｍｉｎａｌ  Ｅｑｕｉｐｍｅｎｔ)、ＭＳ(Ｍｏｂｉｌｅ  Ｓｔａｔｉｏｎ)、ＭＴ(Ｍｏｂｉｌｅ  Ｔｅｒｍｉｎａｌ)、ＵＴ(Ｕｓｅｒ  Ｔｅｒｍｉｎａｌ)、ＳＳ(Ｓｕｂｓｃｒｉｂｅ  Ｓｔａｔｉｏｎ)、無線機器(ｗｉｒｅｌｅｓｓ  ｄｅｖｉｃｅ)、ＰＤＡ(Ｐｅｒｓｏｎａｌ  Ｄｉｇｉｔａｌ  Ａｓｓｉｓｔａｎｔ)、無線モデム(ｗｉｒｅｌｅｓｓ  ｍｏｄｅｍ)、携帯機器(ｈａｎｄｈｅｌｄ  ｄｅｖｉｃｅ)などと呼ぶこともできる。また、本発明において、ＢＳは一般に、ＵＥ及び／又は他のＢＳと通信する固定局(ｆｉｘｅｄ  ｓｔａｔｉｏｎ)を意味し、ＵＥ及び他のＢＳと通信して各種データ及び制御情報を交換する。ＢＳを、ＡＢＳ(Ａｄｖａｎｃｅｄ  Ｂａｓｅ  Ｓｔａｔｉｏｎ)、ＮＢ(Ｎｏｄｅ−Ｂ)、ｅＮＢ(ｅｖｏｌｖｅｄ−ＮｏｄｅＢ)、ＢＴＳ(Ｂａｓｅ  Ｔｒａｎｓｃｅｉｖｅｒ  Ｓｙｓｔｅｍ)、アクセスポイント(Ａｃｃｅｓｓ  Ｐｏｉｎｔ)、ＰＳ(Ｐｒｏｃｅｓｓｉｎｇ  Ｓｅｒｖｅｒ)、送信ポイント(ｔｒａｎｓｍｉｓｓｉｏｎ  ｐｏｉｎｔ；ＴＰ)などと呼ぶこともできる。以下の本発明に関する説明では、ＢＳをｅＮＢと総称する。
【００２９】
本発明でいうノード(ｎｏｄｅ)とは、ユーザ機器と通信して無線信号を送信／受信できる固定した地点(ｐｏｉｎｔ)を指す。様々な形態のｅＮＢをその名称にかかわらずノードとして用いることができる。例えば、ＢＳ、ＮＢ、ｅＮＢ、ピコ−セルｅＮＢ(ＰｅＮＢ)、ホームｅＮＢ(ＨｅＮＢ)、リレー、リピータなどをノードとすることができる。また、ノードは、ｅＮＢでなくてもよい。例えば、無線リモートヘッド(ｒａｄｉｏ  ｒｅｍｏｔｅ  ｈｅａｄ，ＲＲＨ)、無線リモートユニット(ｒａｄｉｏ  ｒｅｍｏｔｅ  ｕｎｉｔ，ＲＲＵ)であってもよい。ＲＲＨ、ＲＲＵなどは一般にｅＮＢの電力レベル(ｐｏｗｅｒ  ｌｅｖｅｌ)よりも低い電力レベルを有する。ＲＲＨ或いはＲＲＵ(以下、ＲＲＨ／ＲＲＵ)は一般に、光ケーブルなどの専用回線(ｄｅｄｉｃａｔｅｄ  ｌｉｎｅ)でｅＮＢに接続されており、よって、一般に無線回線で接続されているｅＮＢによる協調通信に比べて、ＲＲＨ／ＲＲＵとｅＮＢによる協調通信を円滑に行うことができる。１つのノードには少なくとも１つのアンテナが設置される。このアンテナは、物理アンテナを意味することもでき、アンテナポート、仮想アンテナ、又はアンテナグループを意味することもできる。ノードは、ポイント(ｐｏｉｎｔ)と呼ばれることもある。アンテナが基地局に集中して位置して１つのｅＮＢコントローラ(ｃｏｎｔｒｏｌｌｅｒ)によって制御される既存の(ｃｏｎｖｅｎｔｉｏｎａｌ)中央集中型アンテナシステム(ｃｅｎｔｒａｌｉｚｅｄ  ａｎｔｅｎｎａ  ｓｙｓｔｅｍ，ＣＡＳ)(すなわち、単一ノードシステム)と違い、多重ノードシステムにおいて複数のノードは一般に一定間隔以上で離れて位置する。これらの複数のノードは、各ノードの動作を制御したり、各ノードを通して送／受信されるデータをスケジューリング(ｓｃｈｅｄｕｌｉｎｇ)する１つ以上のｅＮＢ或いはｅＮＢコントローラによって管理することができる。各ノードは、当該ノードを管理するｅＮＢ或いはｅＮＢコントローラとケーブル(ｃａｂｌｅ)或いは専用回線(ｄｅｄｉｃａｔｅｄ  ｌｉｎｅ)で接続することができる。多重ノードシステムにおいて、複数のノードへの／からの信号送信／受信には、同一のセル識別子(ｉｄｅｎｔｉｔｙ，ＩＤ)が用いられてもよく、異なるセルＩＤが用いられてもよい。複数のノードが同一のセルＩＤを有すると、これら複数のノードのそれぞれは、１つのセルにおける一部のアンテナ集団のように動作する。多重ノードシステムにおいてノードが互いに異なるセルＩＤを有すると、このような多重ノードシステムを多重セル(例えば、マクロ−セル／フェムト−セル／ピコ−セル)システムと見なすことができる。複数のノードのそれぞれが形成した多重セルがカバレッジによってオーバーレイする形態で構成されると、これらの多重セルが形成したネットワークを特に多重−階層(ｍｕｌｔｉ−ｔｉｅｒ)ネットワークと呼ぶ。ＲＲＨ／ＲＲＵのセルＩＤとｅＮＢのセルＩＤは同一であっても、異なってもよい。ＲＲＨ／ＲＲＵとｅＮＢが互いに異なるセルＩＤを用いる場合、ＲＲＨ／ＲＲＵとｅＮＢはいずれも独立した基地局として動作する。
【００３０】
以下に説明する本発明の多重ノードシステムにおいて、複数のノードに接続した１つ以上のｅＮＢ或いはｅＮＢコントローラが、前記複数のノードの一部又は全てを介してＵＥに同時に信号を送信或いは受信するように前記複数のノードを制御することができる。各ノードの実体、各ノードの具現の形態などによって、多重ノードシステム間には差異点があるが、複数のノードが共に所定時間−周波数リソース上でＵＥに通信サービスを提供するために参加するという点で、これらの多重ノードシステムは単一ノードシステム(例えば、ＣＡＳ、従来のＭＩＭＯシステム、従来の中継システム、従来のリピータシステムなど)とは異なる。そのため、複数のノードの一部又は全てを用いてデータ協調送信を行う方法に関する本発明の実施例は、種々の多重ノードシステムに適用可能である。例えば、ノードとは、通常、他のノードと一定間隔以上で離れて位置しているアンテナグループを指すが、後述する本発明の実施例は、ノードが間隔にかかわらずに任意のアンテナグループを意味する場合にも適用可能である。例えば、Ｘ−ｐｏｌ(Ｃｒｏｓｓ  ｐｏｌａｒｉｚｅｄ)アンテナを備えたｅＮＢの場合、該ｅＮＢが、Ｈ−ｐｏｌアンテナで構成されたノードとＶ−ｐｏｌアンテナで構成されたノードを制御すると見なし、本発明の実施例を適用することができる。
【００３１】
複数の送信(Ｔｘ)／受信(Ｒｘ)ノードを介して信号を送信／受信したり、複数の送信／受信ノードから選択された少なくとも１つのノードを介して信号を送信／受信したり、下りリンク信号を送信するノードと上りリンク信号を受信するノードとを別にし得る通信技法を、多重−ｅＮＢ ＭＩＭＯ又はＣｏＭＰ(Ｃｏｏｒｄｉｎａｔｅｄ  Ｍｕｌｔｉ−Ｐｏｉｎｔ  ＴＸ／ＲＸ)という。このようなノード間協調通信のうち、協調送信技法は、ＪＰ(ｊｏｉｎｔ  ｐｒｏｃｅｓｓｉｎｇ)とスケジューリング協調(ｓｃｈｅｄｕｌｉｎｇ  ｃｏｏｒｄｉｎａｔｉｏｎ)とに区別できる。前者はＪＴ(ｊｏｉｎｔ  ｔｒａｎｓｍｉｓｓｉｏｎ)／ＪＲ(ｊｏｉｎｔ  ｒｅｃｅｐｔｉｏｎ)とＤＰＳ(ｄｙｎａｍｉｃ  ｐｏｉｎｔ  ｓｅｌｅｃｔｉｏｎ)とに区別し、後者はＣＳ(ｃｏｏｒｄｉｎａｔｅｄ  ｓｃｈｅｄｕｌｉｎｇ)とＣＢ(ｃｏｏｒｄｉｎａｔｅｄ  ｂｅａｍｆｏｒｍｉｎｇ)とに区別できる。ＤＰＳは、ＤＣＳ(ｄｙｎａｍｉｃ  ｃｅｌｌ  ｓｅｌｅｃｔｉｏｎ)と呼ぶこともできる。他の協調通信技法に比べて、ノード間協調通信技法のうちＪＰを行うとき、より様々な通信環境を形成することができる。ＪＰにおいて、ＪＴは、複数のノードが同一のストリームをＵＥに送信する通信技法をいい、ＪＲは、複数のノードが同一のストリームをＵＥから受信する通信技法をいう。当該ＵＥ／ｅＮＢは、前記複数のノードから受信した信号を合成して前記ストリームを復元する。ＪＴ／ＪＲでは、同一のストリームが複数のノードから／に送信されるため、送信ダイバーシティ(ｄｉｖｅｒｓｉｔｙ)によって信号送信の信頼度を向上させることができる。ＪＰのＤＰＳは、複数のノードから特定規則によって選択された１つのノードを介して信号が送信／受信される通信技法をいう。ＤＰＳでは、通常、ＵＥとノード間のチャネル状態の良いノードが通信ノードとして選択されるはずであるため、信号送信の信頼度を向上させることができる。
【００３２】
本発明でいうセル(ｃｅｌｌ)とは、１つ以上のノードが通信サービスを提供する一定の地理的領域をいう。そのため、本発明で特定セルと通信するということは、特定セルに通信サービスを提供するｅＮＢ或いはノードと通信することを意味できる。また、特定セルの下りリンク／上りリンク信号は、該特定セルに通信サービスを提供するｅＮＢ或いはノードからの／への下りリンク／上りリンク信号を意味する。ＵＥに上り／下りリンク通信サービスを提供するセルを特にサービングセル(ｓｅｒｖｉｎｇ  ｃｅｌｌ)という。また、特定セルのチャネル状態／品質は、該特定セルに通信サービスを提供するｅＮＢ或いはノードとＵＥ間に形成されたチャネル或いは通信リンクのチャネル状態／品質を意味する。３ＧＰＰ ＬＥＴ−Ａベースのシステムにおいて、ＵＥは、特定ノードからの下りリンクチャネル状態を、前記特定ノードのアンテナポートが前記特定ノードに割り当てられたチャンネルＣＳＩ−ＲＳ(Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ)リソース上で送信するＣＳＩ−ＲＳを用いて測定することができる。一般に、隣接したノードは、互いに直交するＣＳＩ−ＲＳリソース上で該当のＣＳＩ−ＲＳリソースを送信する。ＣＳＩ−ＲＳリソースが直交するということは、ＣＳＩ−ＲＳを運ぶシンボル及び副搬送波を特定するＣＳＩ−ＲＳリソース構成(ｒｅｓｏｕｒｃｅ  ｃｏｎｆｉｇｕｒａｔｉｏｎ)、サブフレームオフセット(ｏｆｆｓｅｔ)及び送信周期(ｔｒａｎｓｍｉｓｓｉｏｎ  ｐｅｒｉｏｄ)などによってＣＳＩ−ＲＳが割り当てられたサブフレームを特定するサブフレーム構成(ｓｕｂｆｒａｍｅ  ｃｏｎｆｉｇｕｒａｔｉｏｎ)、ＣＳＩ−ＲＳシーケンスのうちの少なくとも１つが互いに異なることを意味する。
【００３３】
本発明において、ＰＤＣＣＨ(Ｐｈｙｓｉｃａｌ  Ｄｏｗｎｌｉｎｋ  Ｃｏｎｔｒｏｌ  ＣＨａｎｎｅｌ)／ＰＣＦＩＣＨ(Ｐｈｙｓｉｃａｌ  Ｃｏｎｔｒｏｌ  Ｆｏｒｍａｔ  Ｉｎｄｉｃａｔｏｒ  ＣＨａｎｎｅｌ)／ＰＨＩＣＨ((Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ)／ＰＤＳＣＨ(Ｐｈｙｓｉｃａｌ  Ｄｏｗｎｌｉｎｋ  Ｓｈａｒｅｄ  ＣＨａｎｎｅｌ)はそれぞれ、ＤＣＩ(Ｄｏｗｎｌｉｎｋ  Ｃｏｎｔｒｏｌ  Ｉｎｆｏｒｍａｔｉｏｎ)／ＣＦＩ(Ｃｏｎｔｒｏｌ  Ｆｏｒｍａｔ  Ｉｎｄｉｃａｔｏｒ)／下りリンクＡＣＫ／ＮＡＣＫ(ＡＣＫｎｏｗｌｅｇｅｍｅｎｔ／Ｎｅｇａｔｉｖｅ  ＡＣＫ)／下りリンクデータを運ぶ時間−周波数リソースの集合或いはリソース要素の集合を意味する。また、ＰＵＣＣＨ(Ｐｈｙｓｉｃａｌ  Ｕｐｌｉｎｋ  Ｃｏｎｔｒｏｌ  ＣＨａｎｎｅｌ)／ＰＵＳＣＨ(Ｐｈｙｓｉｃａｌ  Ｕｐｌｉｎｋ  Ｓｈａｒｅｄ  ＣＨａｎｎｅｌ)／ＰＲＡＣＨ(Ｐｈｙｓｉｃａｌ  Ｒａｎｄｏｍ  Ａｃｃｅｓｓ  ＣＨａｎｎｅｌ)はそれぞれ、ＵＣＩ(Ｕｐｌｉｎｋ  Ｃｏｎｔｒｏｌ  Ｉｎｆｏｒｍａｔｉｏｎ)／上りリンクデータ／ランダムアクセス信号を運ぶ時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれに属した時間−周波数リソース或いはリソース要素(Ｒｅｓｏｕｒｃｅ  Ｅｌｅｍｅｎｔ，ＲＥ)をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。以下でユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で或いは介して上りリンク制御情報／上りリンクデータ／ランダムアクセス信号を送信するという表現と同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で或いは介して下りリンクデータ／制御情報を送信するという表現と同じ意味で使われる。
【００３４】
図１は、無線通信システムで用いられる無線フレーム構造の一例を示す図である。特に、図１(ａ)は、３ＧＰＰ ＬＥＴ／ＬＥＴ−Ａシステムで用いられる周波数分割デュプレックス(ｆｒｅｑｕｅｎｃｙ  ｄｉｖｉｓｉｏｎ  ｄｕｐｌｅｘ，ＦＤＤ)用フレーム構造を示しており、図１(ｂ)は、３ＧＰＰ ＬＥＴ／ＬＥＴ−Ａシステムで用いられる時分割デュプレックス(ｔｉｍｅ  ｄｉｖｉｓｉｏｎ  ｄｕｐｌｅｘ，ＴＤＤ)用フレーム構造を示している。
【００３５】
図１を参照すると、３ＧＰＰ ＬＥＴ／ＬＥＴ−Ａシステムで用いられる無線フレームは、１０ｍｓ(３０７２００Ｔｓ)の長さを有し、１０個の均等なサイズのサブフレーム(ｓｕｂｆｒａｍｅ，ＳＦ)で構成される。1無線フレームにおける１０個のサブフレームにはそれぞれ番号を与えることができる。ここで、Ｔｓは、サンプリング時間を表し、Ｔｓ＝１／(２０４８＊１５ｋＨｚ)で表示される。それぞれのサブフレームは、１ｍｓの長さを有し、２個のスロットで構成される。1無線フレームにおいて２０個のスロットには０から１９までの番号を順次に与えることができる。それぞれのスロットは０．５ｍｓの長さを有する。１サブフレームを送信するための時間は、送信時間間隔(ｔｒａｎｓｍｉｓｓｉｏｎ  ｔｉｍｅ  ｉｎｔｅｒｖａｌ，ＴＴＩ)と定義される。時間リソースは、無線フレーム番号(或いは、無線フレームインデックスともいう)、サブフレーム番号(或いは、サブフレームインデックスともいう)、スロット番号(或いは、スロットインデックスともいう)などによって区別することができる。
【００３６】
無線フレームは、デュプレックス(ｄｕｐｌｅｘ)技法によって別々に構成(ｃｏｎｆｉｇｕｒｅ)することができる。例えば、ＦＤＤにおいて、下りリンク送信及び上りリンク送信は周波数によって区別されるため、無線フレームは特定周波数帯域に対して下りリンクサブフレーム又は上りリンクサブフレームのいずれか１つのみを含む。ＴＤＤでは下りリンク送信及び上りリンク送信が時間によって区別されるため、特定周波数帯域に対して無線フレームは下りリンクサブフレームも上りリンクサブフレームも含む。
【００３７】
表１は、ＴＤＤで、無線フレームにおけるサブフレームのＤＬ−ＵＬ構成(ｃｏｎｆｉｇｕｒａｔｉｏｎ)を例示するものである。
【００３８】
【表１】
2019532545.tif 000003
【００３９】
表１で、Ｄは下りリンクサブフレームを、Ｕは上りリンクサブフレームを、Ｓは特異(ｓｐｅｃｉａｌ)サブフレームを表す。特異サブフレームは、ＤｗＰＴＳ(Ｄｏｗｎｌｉｎｋ  Ｐｉｌｏｔ  ＴｉｍｅＳｌｏｔ)、ＧＰ(Ｇｕａｒｄ  Ｐｅｒｉｏｄ)、ＵｐＰＴＳ(Ｕｐｌｉｎｋ  Ｐｉｌｏｔ  ＴｉｍｅＳｌｏｔ)の３つのフィールドを含む。ＤｗＰＴＳは、下りリンク送信のために留保される時間区間であり、ＵｐＰＴＳは上りリンク送信のために留保される時間区間である。表２は、特異サブフレーム構成(ｃｏｎｆｉｇｕｒａｔｉｏｎ)を例示するものである。
【００４０】
【表２】
2019532545.tif 000004
【００４１】
図２は、無線通信システムにおいて下りリンク／上りリンク(ＤＬ／ＵＬ)スロット構造の一例を示す図である。特に、図２は、３ＧＰＰ ＬＥＴ／ＬＥＴ−Ａシステムのリソース格子(ｒｅｓｏｕｒｃｅ  ｇｒｉｄ)の構造を示す。アンテナポート当たりに１個のリソース格子がある。
【００４２】
図２を参照すると、スロットは、時間ドメインで複数のＯＦＤＭ(Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ)シンボルを含み、周波数ドメインで複数のリソースブロック(ｒｅｓｏｕｒｃｅ  ｂｌｏｃｋ，ＲＢ)を含む。ＯＦＤＭシンボルは、１シンボル区間を意味することもある。図２を参照すると、各スロットで送信される信号は、
2019532545.tif 000005
個の副搬送波(ｓｕｂｃａｒｒｉｅｒ)と
2019532545.tif 000006
個のＯＦＤＭシンボルとで構成されるリソース格子(ｒｅｓｏｕｒｃｅ  ｇｒｉｄ)と表現することができる。ここで、
2019532545.tif 000007
は、下りリンクスロットにおけるリソースブロック(ｒｅｓｏｕｒｃｅ  ｂｌｏｃｋ，ＲＢ)の個数を表し、
2019532545.tif 000008
は、ＵＬスロットにおけるＲＢの個数を表す。
2019532545.tif 000009
と
2019532545.tif 000010
は、ＤＬ送信帯域幅とＵＬ送信帯域幅にそれぞれ依存する。
2019532545.tif 000011
は、下りリンクスロットにおけるＯＦＤＭシンボルの個数を表し、
2019532545.tif 000012
は、ＵＬスロットにおけるＯＦＤＭシンボルの個数を表す。
2019532545.tif 000013
は、１つのＲＢを構成する副搬送波の個数を表す。
【００４３】
ＯＦＤＭシンボルは、多元接続方式によって、ＯＦＤＭシンボル、ＳＣ−ＦＤＭ(Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ)シンボルなどと呼ぶことができる。１つのスロットに含まれるＯＦＤＭシンボルの数は、チャネル帯域幅、ＣＰ(ｃｙｃｌｉｃ  ｐｒｅｆｉｘ)長によって様々に変更可能である。例えば、正規(ｎｏｒｍａｌ)ＣＰの場合は、１つのスロットが７個のＯＦＤＭシンボルを含むが、拡張(ｅｘｔｅｎｄｅｄ)ＣＰの場合は、１つのスロットが６個のＯＦＤＭシンボルを含む。図２では、説明の便宜のために、１つのスロットが７ＯＦＤＭシンボルで構成されるサブフレームを例示するが、本発明の実施例は、その他の個数のＯＦＤＭシンボルを有するサブフレームにも同様の方式で適用されてもよい。図２を参照すると、各ＯＦＤＭシンボルは、周波数ドメインで、
2019532545.tif 000014
個の副搬送波を含む。副搬送波の類型は、データ送信のためのデータ副搬送波、参照信号(ｒｅｆｅｒｅｎｃｅ  ｓｉｇｎａｌ)の送信のための参照信号副搬送波、ガードバンド(ｇｕａｒｄ  ｂａｎｄ)及び直流(Ｄｉｒｅｃｔ  Ｃｕｒｒｅｎｔ，ＤＣ)成分のためのヌル(ｎｕｌｌ)副搬送波に分類することができる。ＤＣ成分のためのヌル副搬送波は、未使用のまま残される副搬送波であり、ＯＦＤＭ信号生成過程或いは周波数上り変換過程で搬送波周波数(ｃａｒｒｉｅｒ  ｆｒｅｑｕｅｎｃｙ，ｆ０)にマッピング(ｍａｐｐｉｎｇ)される。搬送波周波数は中心周波数(ｃｅｎｔｅｒ  ｆｒｅｑｕｅｎｃｙ)と呼ばれることもある。
【００４４】
１ ＲＢは、時間ドメインで
2019532545.tif 000015
個(例えば、７個)の連続するＯＦＤＭシンボルと定義され、周波数ドメインで
2019532545.tif 000016
個(例えば、１２個)の連続する副搬送波と定義される。参考として、１つのＯＦＤＭシンボルと１つの副搬送波で構成されたリソースをリソース要素(ｒｅｓｏｕｒｃｅ  ｅｌｅｍｅｎｔ，ＲＥ)或いはトーン(ｔｏｎｅ)という。したがって、１つのＲＢは、
2019532545.tif 000017
個のリソース要素で構成される。リソース格子における各リソース要素は、１つのスロットにおけるインデックス対(ｋ，１)によって固有に定義できる。ｋは、周波数ドメインで０から
2019532545.tif 000018
まで与えられるインデックスであり、ｌは、時間ドメインで０から
2019532545.tif 000019
まで与えられるインデックスである。
【００４５】
１サブフレームにおいて
2019532545.tif 000020
個の連続した同一副搬送波を占有しながら、当該サブフレームにおける２個のスロットのそれぞれに１個ずつ位置する２個のＲＢを物理リソースブロック(ｐｈｙｓｉｃａｌ  ｒｅｓｏｕｒｃｅ  ｂｌｏｃｋ，ＰＲＢ)対(ｐａｉｒ)という。ＰＲＢ対を構成する２個のＲＢは、同一のＰＲＢ番号(或いは、ＰＲＢインデックス(ｉｎｄｅｘ)ともいう)を有する。ＶＲＢは、リソース割り当てのために導入された一種の論理的リソース割り当て単位である。ＶＲＢはＰＲＢと同じサイズを有する。ＶＲＢをＰＲＢにマッピングする方式によって、ＶＲＢは、局部(ｌｏｃａｌｉｚｅｄ)タイプのＶＲＢと分散(ｄｉｓｔｒｉｂｕｔｅｄ)タイプのＶＲＢとに区別される。局部タイプのＶＲＢはＰＲＢに直接マッピングされて、ＶＲＢ番号(ＶＲＢインデックスともいう)がＰＲＢ番号に直接対応する。すなわち、ｎＰＲＢ＝ｎＶＲＢとなる。局部タイプのＶＲＢには０から
2019532545.tif 000021
順に番号が与えられ、
2019532545.tif 000022
である。したがって、局部マッピング方式によれば、同一のＶＲＢ番号を有するＶＲＢが第１のスロットと第２のスロットにおいて、同一ＰＲＢ番号のＰＲＢにマッピングされる。一方、分散タイプのＶＲＢはインターリービングを経てＰＲＢにマッピングされる。そのため、同一のＶＲＢ番号を有する分散タイプのＶＲＢは、第１のスロットと第２のスロットにおいて互いに異なる番号のＰＲＢにマッピングされることがある。サブフレームの２つのスロットに１個ずつ位置し、同一のＶＲＢ番号を有する２個のＰＲＢをＶＲＢ対と称する。
【００４６】
図３は、３ＧＰＰ ＬＥＴ／ＬＥＴ−Ａシステムで用いられる下りリンク(ｄｏｗｎｌｉｎｋ，ＤＬ)サブフレーム構造を例示する図である。
【００４７】
図３を参照すると、ＤＬサブフレームは、時間ドメインで制御領域(ｃｏｎｔｒｏｌ  ｒｅｇｉｏｎ)とデータ領域(ｄａｔａ  ｒｅｇｉｏｎ)とに区別される。図３を参照すると、サブフレームの第１のスロットで先頭部における最大３(或いは４)個のＯＦＤＭシンボルは、制御チャネルが割り当てられる制御領域(ｃｏｎｔｒｏｌ  ｒｅｇｉｏｎ)に対応する。以下、ＤＬサブフレームでＰＤＣＣＨ送信に利用可能なリソース領域(ｒｅｓｏｕｒｃｅ  ｒｅｇｉｏｎ)をＰＤＣＣＨ領域と称する。制御領域に用いられるＯＦＤＭシンボル以外のＯＦＤＭシンボルは、ＰＤＳＣＨ(Ｐｈｙｓｉｃａｌ Ｄｏｗｎｌｉｎｋ Ｓｈａｒｅｄ ＣＨａｎｃｅｌ)が割り当てられるデータ領域(ｄａｔａ  ｒｅｇｉｏｎ)に該当する。以下、ＤＬサブフレームでＰＤＳＣＨ送信に利用可能なリソース領域をＰＤＳＣＨ領域と称する。３ＧＰＰ ＬＥＴで用いられるＤＬ制御チャネルの例としては、ＰＣＦＩＣＨ(Ｐｈｙｓｉｃａｌ Ｃｏｎｔｒｏｌ Ｆｏｒｍａｔ Ｉｎｄｉｃａｔｏｒ Ｃｈａｎｎｅｌ)、ＰＤＣＣＨ(Ｐｈｙｓｉｃａｌ Ｄｏｗｎｌｉｎｋ Ｃｏｎｔｒｏｌ Ｃｈａｎｎｅｌ)、ＰＨＩＣＨ(Ｐｈｙｓｉｃａｌ ｈｙｂｒｉｄ ＡＲＱ ｉｎｄｉｃａｔｏｒ Ｃｈａｎｎｅｌ)などを含む。ＰＣＦＩＣＨは、サブフレームの最初のＯＦＤＭシンボルで送信され、サブフレームにおいて制御チャネルの送信に用いられるＯＦＤＭシンボルの個数に関する情報を運ぶ。ＰＨＩＣＨは、ＵＬ送信に対する応答としてＨＡＲＱ(Ｈｙｂｒｉｄ  Ａｕｔｏｍａｔｉｃ  Ｒｅｐｅａｔ  Ｒｅｑｕｅｓｔ)ＡＣＫ／ＮＡＣＫ(ａｃｋｎｏｗｌｅｄｇｍｅｎｔ／ｎｅｇａｔｉｖｅ−ａｃｋｎｏｗｌｅｄｇｍｅｎｔ)信号を運ぶ。
【００４８】
ＰＤＣＣＨを介して送信される制御情報を下りリンク制御情報(ｄｏｗｎｌｉｎｋ ｃｏｎｔｒｏｌ ｉｎｆｏｒｍａｔｉｏｎ，ＤＣＩ)と呼ぶ。ＤＣＩは、ＵＥ又はＵＥグループのためのリソース割り当て情報及び他の制御情報を含む。例えば、ＤＣＩは、ＤＬ共有チャネル(ｄｏｗｎｌｉｎｋ  ｓｈａｒｅｄ  ｃｈａｎｎｅｌ，ＤＬ−ＳＣＨ)の送信フォーマット及びリソース割り当て情報、ＵＬ共有チャネル(ｕｐｌｉｎｋ  ｓｈａｒｅｄ  ｃｈａｎｎｅｌ，ＵＬ−ＳＣＨ)の送信フォーマット及びリソース割り当て情報、ページングチャネル(ｐａｇｉｎｇ  ｃｈａｎｎｅｌ，ＰＣＨ)上のページング情報、ＤＬ−ＳＣＨ上のシステム情報、ＰＤＳＣＨ上で送信されるランダムアクセス応答のような上位層(ｕｐｐｅｒ  ｌａｙｅｒ)制御メッセージのリソース割り当て情報、ＵＥグループ内の個別ＵＥへの送信電力制御命令(Ｔｒａｎｓｍｉｔ  Ｃｏｎｔｒｏｌ  Ｃｏｍｍａｎｄ  Ｓｅｔ)、送信電力制御(Ｔｒａｎｓｍｉｔ  Ｐｏｗｅｒ  Ｃｏｎｔｒｏｌ)命令、ＶｏＩＰ(Ｖｏｉｃｅ  ｏｖｅｒ  ＩＰ)の活性化(ａｃｔｉｖａｔｉｏｎ)指示情報、ＤＡＩ(Ｄｏｗｎｌｉｎｋ  Ａｓｓｉｇｎｍｅｎｔ  Ｉｎｄｅｘ)などを含む。ＤＬ共有チャネル(ｄｏｗｎｌｉｎｋ  ｓｈａｒｅｄ  ｃｈａｎｎｅｌ，ＤＬ−ＳＣＨ)の送信フォーマット(Ｔｒａｎｓｍｉｔ  Ｆｏｒｍａｔ)及びリソース割り当て情報は、ＤＬスケジューリング情報或いはＤＬグラント(ＤＬ  ｇｒａｎｔ)とも呼ばれ、ＵＬ共有チャネル(ｕｐｌｉｎｋ  ｓｈａｒｅｄ  ｃｈａｎｎｅｌ，ＵＬ−ＳＣＨ)の送信フォーマット及びリソース割り当て情報は、ＵＬスケジューリング情報或いはＵＬグラント(ＵＬ  ｇｒａｎｔ)とも呼ばれる。１つのＰＤＣＣＨが運ぶＤＣＩは、ＤＣＩフォーマットによってそのサイズと用途が異なり、符号化率によってそのサイズが異なり得る。現在３ＧＰＰ ＬＥＴシステムでは、上りリンク用にフォーマット０及び４、下りリンク用にフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割り当て(ＲＢ  ａｌｌｏｃａｔｉｏｎ)、ＭＣＳ(ｍｏｄｕｌａｔｉｏｎ  ｃｏｄｉｎｇ ｓｃｈｅｍｅ)、ＲＶ(ｒｅｄｕｎｄａｎｃｙ  ｖｅｒｓｉｏｎ)、ＮＤＩ(ｎｅｗ  ｄａｔａ  ｉｎｄｉｃａｔｏｒ)、ＴＰＣ(ｔｒａｎｓｍｉｔ  ｐｏｗｅｒ  ｃｏｎｔｒｏｌ)、循環シフトＤＭＲＳ(ｃｙｃｌｉｃ  ｓｈｉｆｔ  ｄｅｍｏｄｕｌａｔｉｏｎ  ｒｅｆｅｒｅｎｃｅ  ｓｉｇｎａｌ)、ＵＬインデックス、ＣＱＩ(ｃｈａｎｎｅｌ  ｑｕａｌｉｔｙ  ｉｎｆｏｒｍａｔｉｏｎ)要請、ＤＬ割り当てインデックス(ＤＬ  ａｓｓｉｇｎｍｅｎｔ  ｉｎｄｅｘ)、ＨＡＲＱプロセスナンバー、ＴＰＭＩ(ｔｒａｎｓｍｉｔｔｅｄ  ｐｒｅｃｏｄｉｎｇ  ｍａｔｒｉｘ  ｉｎｄｉｃａｔｏｒ)、ＰＭＩ(ｐｒｅｃｏｄｉｎｇ  ｍａｔｒｉｘ  ｉｎｄｉｃａｔｏｒ)情報などの制御情報が適宜選択された組み合わせが下りリンク制御情報としてＵＥに送信される。
【００４９】
一般に、ＵＥに構成された送信モード(ｔｒａｎｓｍｉｓｓｉｏｎ  ｍｏｄｅ，ＴＭ)によって当該ＵＥに送信可能なＤＣＩフォーマットが異なる。換言すれば、特定送信モードに構成されたＵＥのためには、いかなるＤＣＩフォーマットを用いてもよいわけではなく、特定送信モードに対応する一定ＤＣＩフォーマットのみを用いることができる。
【００５０】
ＰＤＣＣＨは、１つ又は複数の連続した制御チャネル要素(ｃｏｎｔｒｏｌ  ｃｈａｎｎｅｌ  ｅｌｅｍｅｎｔ，ＣＣＥ)の集成(ａｇｇｒｅｇａｔｉｏｎ)上で送信される。ＣＣＥは、ＰＤＣＣＨに無線チャネル状態に基づく符号化率(ｃｏｄｉｎｇ  ｒａｔｅ)を提供するために用いられる論理的割り当てユニット(ｕｎｉｔ)である。ＣＣＥは、複数のリソース要素グループ(ｒｅｓｏｕｒｃｅ  ｅｌｅｍｅｎｔ  ｇｒｏｕｐ，ＲＥＧ)に対応する。例えば、１ ＣＣＥは９個のＲＥＧに対応し、１ ＲＥＧは４個のＲＥに対応する。３ＧＰＰ ＬＥＴシステムの場合、それぞれのＵＥのためにＰＤＣＣＨが位置してもよいＣＣＥセットを定義した。ＵＥが自身のＰＤＣＣＨを発見し得るＣＣＥセットを、ＰＤＣＣＨ探索空間、簡単に探索空間(Ｓｅａｒｃｈ  Ｓｐａｃｅ，ＳＳ)と呼ぶ。探索空間内でＰＤＣＣＨが送信されてもよい個別リソースをＰＤＣＣＨ候補(ｃａｎｄｉｄａｔｅ)と呼ぶ。ＵＥがモニタリング(ｍｏｎｉｔｏｒｉｎｇ)するＰＤＣＣＨ候補の集合を探索空間と定義する。３ＧＰＰ ＬＥＴ／ＬＥＴ−ＡシステムでそれぞれのＤＣＩフォーマットのための探索空間は異なるサイズを有してもよく、専用(ｄｅｄｉｃａｔｅｄ)探索空間と共通(ｃｏｍｍｏｎ)探索空間とが定義されている。専用探索空間は、ＵＥ−特定(ｓｐｅｃｉｆｉｃ)探索空間であり、それぞれの個別ＵＥのために構成(ｃｏｎｆｉｇｕｒａｔｉｏｎ)される。共通探索空間は、複数のＵＥのために構成される。次表は、探索空間を定義する集成レベル(ａｇｇｒｅｇａｔｉｏｎ  ｌｅｖｅｌ)を例示するものである。
【００５１】
【表３】
2019532545.tif 000023
【００５２】
１つのＰＤＣＣＨ候補は、ＣＣＥ集成レベルによって１、２、４又は８個のＣＣＥに対応する。ｅＮＢは、探索空間内の任意のＰＤＣＣＨ候補上で実際のＰＤＣＣＨ(ＤＣＩ)を送信し、ＵＥは、ＰＤＣＣＨ(ＤＣＩ)を探すために探索空間をモニタリングする。ここで、モニタリングとは、全てのモニタリングされるＤＣＩフォーマットによって当該探索空間内の各ＰＤＣＣＨの復号(ｄｅｃｏｄｉｎｇ)を試みる(ａｔｔｅｍｐｔ)ことを意味する。ＵＥは、前記複数のＰＤＣＣＨをモニタリングし、自身のＰＤＣＣＨを検出することができる。基本的に、ＵＥは、自身のＰＤＣＣＨが送信される位置を知らないことから、毎サブフレームごとに当該ＤＣＩフォーマットの全てのＰＤＣＣＨに対して、自身の識別子を有するＰＤＣＣＨを検出するまで復号を試みるが、このような過程をブラインド検出(ｂｌｉｎｄ  ｄｅｔｅｃｔｉｏｎ)(ブラインド復号(ｂｌｉｎｄ  ｄｅｃｏｄｉｎｇ，ＢＤ))という。
【００５３】
ｅＮＢは、データ領域を通してＵＥ或いはＵＥグループのためのデータを送信することができる。データ領域を通して送信されるデータをユーザデータと呼ぶこともできる。ユーザデータの送信のために、データ領域にはＰＤＳＣＨ(Ｐｈｙｓｉｃａｌ  Ｄｏｗｎｌｉｎｋ  Ｓｈａｒｅｄ  ＣＨａｎｎｅｌ)を割り当てることができる。ＰＣＨ(Ｐａｇｉｎｇ  ｃｈａｎｎｅｌ)及びＤＬ−ＳＣＨ(Ｄｏｗｎｌｉｎｋ−ｓｈａｒｅｄ  ｃｈａｎｎｅｌ)は、ＰＤＳＣＨを介して送信される。ＵＥは、ＰＤＣＣＨを介して送信される制御情報を復号し、ＰＤＳＣＨを介して送信されるデータを読むことができる。ＰＤＳＣＨのデータがどのＵＥ或いはＵＥグループに送信されるか、前記ＵＥ或いはＵＥグループがどのようにＰＤＳＣＨデータを受信して復号すればよいかなどを示す情報がＰＤＣＣＨに含まれて送信される。例えば、特定ＰＤＣＣＨが「Ａ」というＲＮＴＩ(Ｒａｄｉｏ  Ｎｅｔｗｏｒｋ  Ｔｅｍｐｏｒａｒｙ  Ｉｄｅｎｔｉｔｙ)でＣＲＣ(ｃｙｃｌｉｃ  ｒｅｄｕｎｄａｎｃｙ  ｃｈｅｃｋ)マスキング(ｍａｓｋｉｎｇ)されており、「Ｂ」という無線リソース(例、周波数位置)及び「Ｃ」という送信形式情報(例、送信ブロックサイズ、変調方式、コーディング情報など)を用いて送信されるデータに関する情報が特定ＤＬサブフレームで送信されると仮定する。ＵＥは、自身の所有しているＲＮＴＩ情報を用いてＰＤＣＣＨをモニタリングし、「Ａ」というＲＮＴＩを有しているＵＥはＰＤＣＣＨを検出し、受信したＰＤＣＣＨの情報によって「Ｂ」と「Ｃ」で示されるＰＤＳＣＨを受信する。
【００５４】
ＵＥがｅＮＢから受信した信号を復調するには、データ信号と比較する参照信号(ｒｅｆｅｒｅｎｃｅ  ｓｉｇｎａｌ，ＲＳ)が必要である。参照信号とは、ｅＮＢがＵＥに或いはＵＥがｅＮＢに送信する、ｅＮＢとＵＥが互いに知っている、予め定義された特別な波形の信号を意味し、パイロット(ｐｉｌｏｔ)とも呼ばれる。参照信号は、セル内の全ＵＥに共用されるセル−特定(ｃｅｌｌ−ｓｐｅｃｉｆｉｃ)ＲＳと特定ＵＥに専用される復調(ｄｅｍｏｄｕｌａｔｉｏｎ)ＲＳ(ＤＭ ＲＳ)とに区別される。ｅＮＢが特定ＵＥのための下りリンクデータの復調のために送信するＤＭ ＲＳをＵＥ−特定的(ＵＥ−ｓｐｅｃｉｆｉｃ)ＲＳと特別に称することもできる。下りリンクでＤＭ ＲＳとＣＲＳは共に送信されてもよいが、いずれか一方のみが送信されてもよい。ただし、下りリンクでＣＲＳ無しにＤＭ ＲＳのみを送信される場合、データと同じプリコーダを適用して送信されるＤＭ ＲＳは復調の目的にのみ用いることができるため、チャネル測定用ＲＳを別途に提供しなければならない。例えば、３ＧＰＰ ＬＥＴ(−Ａ)では、ＵＥがチャネル状態情報を測定できるようにするために、追加の測定用ＲＳであるＣＳＩ−ＲＳが当該ＵＥに送信される。ＣＳＩ−ＲＳは、チャネル状態について相対的に時間による変化度が大きくないという事実に着目し、毎サブフレームごとに送信されるＣＲＳとは違い、複数のサブフレームで構成される所定の送信周期ごとに送信される。
【００５５】
図４は、３ＧＰＰ ＬＥＴ／ＬＥＴ−Ａシステムで用いられる上りリンク(ｕｐｌｉｎｋ，ＵＬ)サブフレーム構造の一例を示す図である。
【００５６】
図４を参照すると、ＵＬサブフレームは、周波数ドメインで制御領域とデータ領域とに区別できる。１つ又は複数のＰＵＣＣＨ(ｐｈｙｓｉｃａｌ ｕｐｌｉｎｋ ｃｏｎｔｒｏｌ ｃｈａｎｎｅｌｓ)を上りリンク制御情報(ｕｐｌｉｎｋ ｃｏｎｔｒｏｌ ｉｎｆｏｒｍａｔｉｏｎ，ＵＣＩ)を運ぶために制御領域に割り当てることができる。１つ又は複数のＰＵＳＣＨ(ｐｈｙｓｉｃａｌ ｕｐｌｉｎｋ ｓｈａｒｅｄ ｃｈａｎｎｅｌｓ)がユーザデータを運ぶためにＵＬサブフレームのデータ領域に割り当てられてもよい。
【００５７】
ＵＬサブフレームではＤＣ(Ｄｉｒｅｃｔ  Ｃｕｒｒｅｎｔ)副搬送波から遠く離れた副搬送波が制御領域として用いられる。換言すれば、ＵＬ送信帯域幅の両端部に位置する副搬送波が上りリンク制御情報の送信に割り当てられる。ＤＣ副搬送波は、信号送信に用いられずに残される成分であり、周波数上り変換過程で搬送波周波数ｆ０にマッピングされる。１つのＵＥのＰＵＣＣＨは１つのサブフレームで、１つの搬送波周波数で動作するリソースに属したＲＢ対に割り当てられ、このＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同一の副搬送波を占有する。
【００５８】
ＰＵＣＣＨは、次の制御情報を送信するために用いることができる。
【００５９】
−  ＳＲ(Ｓｃｈｅｄｕｌｉｎｇ  Ｒｅｑｕｅｓｔ)：上りリンクＵＬ−ＳＣＨリソースを要請するために用いられる情報である。ＯＯＫ(Ｏｎ−Ｏｆｆ  Ｋｅｙｉｎｇ)方式を用いて送信される。
【００６０】
−  ＨＡＲＱ−ＡＣＫ：ＰＤＣＣＨに対する応答及び／又はＰＤＳＣＨ上の下りリンクデータパケット(例、コードワード)に対する応答である。ＰＤＣＣＨ或いはＰＤＳＣＨが成功裏に受信されたか否かを示す。単一下りリンクコードワードに対する応答としてＨＡＲＱ−ＡＣＫ １ビットが送信され、２つの下りリンクコードワードに対する応答としてＨＡＲＱ−ＡＣＫ ２ビットが送信される。ＨＡＲＱ−ＡＣＫ応答は、ポジティブＡＣＫ(簡単に、ＡＣＫ)、ネガティブＡＣＫ(以下、ＮＡＣＫ)、ＤＴＸ(Ｄｉｓｃｏｎｔｉｎｕｏｕｓ  Ｔｒａｎｓｍｉｓｓｉｏｎ)又はＮＡＣＫ／ＤＴＸを含む。ここで、ＨＡＲＱ−ＡＣＫという用語は、ＨＡＲＱ ＡＣＫ／ＮＡＣＫ、ＡＣＫ／ＮＡＣＫと同じ意味で使われる。
【００６１】
−ＣＳＩ(Ｃｈａｎｎｅｌ  Ｓｔａｔｅ  Ｉｎｆｏｒｍａｔｉｏｎ)：下りリンクチャネルに対するフィードバック情報(ｆｅｅｄｂａｃｋ  ｉｎｆｏｒｍａｔｉｏｎ)である。ＭＩＭＯ(Ｍｕｌｔｉｐｌｅ  Ｉｎｐｕｔ  Ｍｕｌｔｉｐｌｅ  Ｏｕｔｐｕｔ)−関連フィードバック情報は、ＲＩ(Ｒａｎｋ  Ｉｎｄｉｃａｔｏｒ)及びＰＭＩ(Ｐｒｅｃｏｄｉｎｇ  Ｍａｔｒｉｘ  Ｉｎｄｉｃａｔｏｒ)を含む。
【００６２】
ＵＥがサブフレームで送信可能な上りリンク制御情報(ＵＣＩ)の量は、制御情報送信に可用なＳＣ−ＦＤＭＡの個数に依存する。ＵＣＩに可用なＳＣ−ＦＤＭＡは、サブフレームにおいて参照信号の送信のためのＳＣ−ＦＤＭＡシンボルを除く残りのＳＣ−ＦＤＭＡシンボルを意味し、ＳＲＳ(Ｓｏｕｎｄｉｎｇ  Ｒｅｆｅｒｅｎｃｅ  Ｓｉｇｎａｌ)が構成されているサブフレームでは、サブフレームの最後のＳＣ−ＦＤＭＡシンボルも除く。参照信号は、ＰＵＣＣＨのコヒーレント(ｃｏｈｅｒｅｎｔ)検出に用いられる。ＰＵＣＣＨは、送信される情報によって様々なフォーマットを支援する。
【００６３】
下記の表４に、ＬＥＴ／ＬＥＴ−ＡシステムでＰＵＣＣＨフォーマットとＵＣＩとのマッピング関係を示す。
【００６４】
【表４】
2019532545.tif 000024
【００６５】
表４を参照すると、主に、ＰＵＣＣＨフォーマット１系列はＡＣＫ／ＮＡＣＫ情報を送信するために用いられ、ＰＵＣＣＨフォーマット２系列はＣＱＩ／ＰＭＩ／ＲＩなどのチャネル状態情報(ｃｈａｎｎｅｌ  ｓｔａｔｅ  ｉｎｆｏｒｍａｔｉｏｎ，ＣＳＩ)を運ぶために用いられ、ＰＵＣＣＨフォーマット３系列はＡＣＫ／ＮＡＣＫ情報を送信するために用いられる。
【００６６】
参照信号(Ｒｅｆｅｒｅｎｃｅ  Ｓｉｇｎａｌ；ＲＳ)
【００６７】
無線通信システムにおいてパケットを送信する時、パケットは無線チャネルを通じて送信されるため、送信過程で信号の歪みが発生することがある。歪まれた信号を受信側で正しく受信するためには、チャネル情報を用いて受信信号において歪みを補正しなければならない。チャネル情報を知るために、送信側と受信側の両方で知っている信号を送信し、該信号がチャネルを通じて受信される時の歪みの度合からチャネル情報を把握する方法を主に用いる。この信号をパイロット信号(Ｐｉｌｏｔ  Ｓｉｇｎａｌ)又は参照信号(Ｒｅｆｅｒｅｎｃｅ  Ｓｉｇｎａｌ)という。
【００６８】
多重アンテナを用いてデータを送受信する場合には、各送信アンテナと受信アンテナ間のチャネル状況を知ってこそ正しい信号を受信することができる。したがって、各送信アンテナ別に、より詳しくはアンテナポート(ａｎｔｅｎｎａ  ｐｏｒｔ)別に異なった参照信号が存在しなければならない。
【００６９】
参照信号は上りリンク参照信号と下りリンク参照信号とに区別できる。現在、ＬＥＴシステムには、上りリンク参照信号として、
【００７０】
ｉ)ＰＵＳＣＨ及びＰＵＣＣＨを通じて送信された情報のコヒーレント(ｃｏｈｅｒｅｎｔ)な復調のためのチャネル推定のための復調参照信号(ＤｅＭｏｄｕｌａｔｉｏｎ−Ｒｅｆｅｒｅｎｃｅ  Ｓｉｇｎａｌ，ＤＭ−ＲＳ)
【００７１】
ｉｉ)基地局が、ネットワークの異なる周波数における上りリンクチャネル品質を測定するためのサウンディング参照信号(Ｓｏｕｎｄｉｎｇ  Ｒｅｆｅｒｅｎｃｅ  Ｓｉｇｎａｌ，ＳＲＳ)がある。
【００７２】
一方、下りリンク参照信号としては、
【００７３】
ｉ)セル内の全ての端末が共有するセル−特定参照信号(Ｃｅｌｌ−ｓｐｅｃｉｆｉｃ  Ｒｅｆｅｒｅｎｃｅ  Ｓｉｇｎａｌ，ＣＲＳ)
【００７４】
ｉｉ)特定端末だけのための端末−特定参照信号(ＵＥ−ｓｐｅｃｉｆｉｃ  Ｒｅｆｅｒｅｎｃｅ  Ｓｉｇｎａｌ)
【００７５】
ｉｉｉ)ＰＤＳＣＨが送信される場合に、コヒーレントな復調のために送信される(ＤｅＭｏｄｕｌａｔｉｏｎ−Ｒｅｆｅｒｅｎｃｅ  Ｓｉｇｎａｌ，ＤＭ−ＲＳ)
【００７６】
ｉｖ)下りリンクＤＭＲＳが送信される場合に、チャネル状態情報(Ｃｈａｎｎｅｌ  Ｓｔａｔｅ  Ｉｎｆｏｒｍａｔｉｏｎ；ＣＳＩ)を伝達するためのチャネル状態情報参照信号(Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ，ＣＳＩ−ＲＳ)
【００７７】
ｖ)ＭＢＳＦＮ(Ｍｕｌｔｉｍｅｄｉａ  Ｂｒｏａｄｃａｓｔ  Ｓｉｎｇｌｅ  Ｆｒｅｑｕｅｎｃｙ  Ｎｅｔｗｏｒｋ)モードで送信される信号に対するコヒーレントな復調のために送信されるＭＢＳＦＮ参照信号(ＭＢＳＦＮ  Ｒｅｆｅｒｅｎｃｅ  Ｓｉｇｎａｌ)
【００７８】
ｖｉ)端末の地理的位置情報を推定するために用いられる位置参照信号(Ｐｏｓｉｔｉｏｎｉｎｇ  Ｒｅｆｅｒｅｎｃｅ  Ｓｉｇｎａｌ)がある。
【００７９】
参照信号はその目的によって２種類に大別できる。チャネル情報取得のために用いられる参照信号と、データ復調のために用いられる参照信号とがある。前者は、ＵＥが下りリンク上のチャネル情報を取得できるようにすることに目的があるため、広帯域に送信されなければならず、特定サブフレームで下りリンクデータを受信しない端末であってもその参照信号を受信しなければならない。また、これはハンドオーバーなどの状況でも用いられる。後者は、基地局が下りリンクを送る時に該当のリソースで共に送る参照信号であって、端末は当該参照信号を受信することによってチャネル測定をしてデータを復調することが可能になる。この参照信号は、データの送信される領域で送信されなければならない。
【００８０】
ＣＳＩ報告
【００８１】
３ＧＰＰ ＬＴＥ(−Ａ)ステムでは、ユーザ機器(ＵＥ)がチャンネル状態情報(ＣＳＩ)を基地局(ＢＳ)に報告するように定義されており、チャンネル状態情報(ＣＳＩ)とは、ＵＥとアンテナポートとの間に形成される無線チャンネル(又は、リンクともいう)の品質を示すことのできる情報を総称する。例えば、ランクインジケータ(ｒａｎｋ ｉｎｄｉｃａｔｏｒ，ＲＩ)、プリコーディング行列インジケータ(ｐｒｅｃｏｄｉｎｇ ｍａｔｒｉｘ ｉｎｄｉｃａｔｏｒ，ＰＭＩ)、チャンネル品質インジケータ(ｃｈａｎｎｅｌ ｑｕａｌｉｔｙ ｉｎｄｉｃａｔｏｒ，ＣＱＩ)などがある。ここで、ＲＩは、チャンネルのランク(ｒａｎｋ)情報を示し、これは、ＵＥが同一の時間−周波数リソースを通じて受信するストリームの数を意味する。この値は、チャンネルの長期フェーディング(ｆａｄｉｎｇ)によって従属されて決定されるため、通常、ＰＭＩ、ＣＱＩよりも長い周期を有してＵＥからＢＳにフィードバックされる。ＰＭＩは、チャンネル空間特性を反映した値であって、ＳＩＮＲなどのメートル(ｍｅｔｒｉｃ)に基づいて、ＵＥが選好するプレコーディングインデックスを示す。ＣＱＩは、チャンネルの強さを示す値であって、通常、ＢＳがＰＭＩを用いるときに得られる受信ＳＩＮＲを意味する。
【００８２】
上述した無線チャンネルの測定に基づいて、ＵＥは、現在のチャンネル状態下において前記ＢＳによって使用される場合、最適又は最高の送信レートが導出できる選好されるＰＭＩ及びＲＩを計算して、計算されたＰＭＩ及びＲＩをＢＳにフィードバックする。ここで、ＣＱＩは、フィードバックされたＰＭＩ／ＲＩに対する受容可能なパケットエラー率(ｐａｃｋｅｔ ｅｒｒｏｒ ｐｒｏｂａｂｉｌｉｔｙ)を提供する変調及びコーディング方式(ｍｏｄｕｌａｔｉｏｎ ａｎｄ ｃｏｄｉｎｇ ｓｃｈｅｍｅ)を称する。 
【００８３】
一方、より精密なＭＵ−ＭＩＭＯと明示的なＣｏＭＰ動作が期待されるＬＴＥ−Ａシステムにおいて、現在のＣＳＩフィードバックはＬＴＥで定義されており、よって、新たに導入される上述した動作を十分に支援することができない。ＣＳＩフィードバックの正確度に対する要求事項が十分なＭＵ−ＭＩＭＯ又はＣｏＭＰスループット(ｔｈｒｏｕｇｈｐｕｔ)利得を得るために、ますますややこしくなるにつれて、ＰＭＩが長期(ｌｏｎｇ ｔｅｒｍ)／広帯域(ｗｉｄｅｂａｎｄ)ＰＭＩ(Ｗ１)、及び短期(ｓｈｏｒｔ ｔｅｒｍ)/サブバンド(ｓｕｂｂａｎｄ)ＰＭＩ(Ｗ２)の２つで構成されるように合議されている。換言すれば、最終のＰＭＩは、Ｗ１とＷ２の関数で表現される。例えば、最終のＰＭＩ Ｗは以下のように定義されてもよい：Ｗ＝Ｗ１＊Ｗ２ ｏｒ Ｗ＝Ｗ２＊Ｗ１。よって、ＬＴＥ−ＡにおいてＣＳＩはＲＩ、Ｗ１、Ｗ２及びＣＱＩからなる。 
【００８４】
３ＧＰＰ ＬＴＥ(−Ａ)システムにおいてＣＳＩ送信のために用いられる上りリンクチャンネルは、以下の表５のようである。
【００８５】
【表５】
2019532545.tif 000025
【００８６】
表５を参照すると、ＣＳＩは上位層で定められた周期で物理上りリンク制御チャンネル(Ｐｈｙｓｉｃａｌ Ｕｐｌｉｎｋ Ｃｏｎｔｒｏｌ Ｃｈａｎｎｅｌ，ＰＵＣＣＨ)を用いて送信されてもよく、スケジューラーの必要に応じて非周期的に物理上りリンク共有チャンネル(Ｐｈｙｓｉｃａｌ Ｕｐｌｉｎｋ Ｓｈａｒｅｄ Ｃｈａｎｎｅｌ，ＰＵＳＣＨ)を用いて送信されてもよい。ＣＳＩがＰＵＳＣＨで送信される場合は、周波数選択的なスケジューリング方式及び非周期的ＣＳＩ送信である場合に限る。以下では、スケジューリング方式及び周期性によるＣＳＩ送信方式を説明する。
【００８７】
１）ＣＳＩ送信要請制御信号(ＣＳＩ ｒｅｑｕｅｓｔ)を受信した後、ＰＵＳＣＨを通じたＣＱＩ／ＰＭＩ／ＲＩ送信
【００８８】
ＰＤＣＣＨ信号で送信されるＰＵＳＣＨスケジューリング制御信号(ＵＬ Ｇｒａｎｔ)にＣＳＩを送信するように要請する制御信号が含まれてもよい。以下の表は、ＰＵＳＣＨによってＣＱＩ、ＰＭＩ、ＲＩを送信するときのＵＥのモードを示す。
【００８９】
【表６】
2019532545.tif 000026
【００９０】
表６の送信モードは、上位レイヤから選択され、ＣＱＩ／ＰＭＩ／ＲＩは、いずれも同じＰＵＳＣＨサブフレームで送信される。以下では、各モードによるＵＥの上りリンク送信方法について説明する。
【００９１】
モード１−２(Ｍｏｄｅ １−２)は、各々のサブバンドに対してデータがサブバンドのみを通じて送信されると仮定して、プレコーディング行列を選択する場合を示す。ＵＥは、システム帯域又は上位レイヤで指定した帯域(ｓｅｔ Ｓ)全体に対して選択したプレコーディング行列を仮定してＣＱＩを生成する。モード１−２において、ＵＥは、ＣＱＩと各サーブバンドのＰＭＩ値を送信することができる。このとき、各サブバンドのサイズは、システム帯域のサイズに応じて異なってもよい。
【００９２】
モード２−０(Ｍｏｄｅ ２−０)のＵＥは、システム帯域又は上位レイヤで指定した帯域(ｓｅｔ Ｓ)に対して、選好するＭ個のサブバンドを選択することができる。ＵＥは選択したＭ個のサブバンドに対してデータを送信すると仮定して、１つのＣＱＩ値を生成することができる。さらに、ＵＥは、システム帯域又はｓｅｔ Ｓに対して、１つのＣＱＩ(ｗｉｄｅｂａｎｄ ＣＱＩ)値を報告することが望ましい。ＵＥは、選択したＭ個のサブバンドに対して、複数のコードワードがある場合、各コードワードに対するＣＱＩ値を差分の形式で定義する。
【００９３】
このとき、差分ＣＱＩ値は、選択したＭ個のサブバンドに対するＣＱＩ値に該当するインデックスと広帯域ＣＱＩ(ＷＢ−ＣＱＩ：Ｗｉｄｅｂａｎｄ ＣＱＩ)インデックスとの差分値で決定される。 
【００９４】
モード２−０のＵＥは、選択したＭ個のサブバンドの位置に対する情報、選択したＭ個のサブバンドに対する１つＣＱＩ値及び全帯域又は指定帯域(ｓｅｔ Ｓ)に対して生成したＣＱＩ値をＢＳに送信することができる。このとき、サブバンドのサイズ及びＭ値は、システム帯域のサイズに応じて異なってもよい。
【００９５】
モード２−２(Ｍｏｄｅ ２−２)のＵＥは、Ｍ個の選好するサブバンドを通じてデータを送信すると仮定して、Ｍ個の選好サブバンドの位置とＭ個の選好サブバンドに対する単一プレコーディング行列を同時に選択することができる。このとき、Ｍ個の選好サブバンドに対するＣＱＩ値は、各コードワードごとに定義される。さらに、ＵＥは、システム帯域又は指定帯域(ｓｅｔ Ｓ)に対して広帯域ＣＱＩ(ｗｉｄｅｂａｎｄ ＣＱＩ)値を生成する。
【００９６】
モード２−２のＵＥは、Ｍ個の選好するサブバンドの位置に関する情報、選択されたＭ個のサブバンドに対する１つのＣＱＩ値、Ｍ個の選好するサブバンドに対する単一ＰＭＩ、広帯域ＰＭＩ、広帯域ＣＱＩ値をＢＳに送信することができる。このとき、サブバンドのサイズ及びＭ値は、システム帯域のサイズに応じて異なってもよい。
【００９７】
モード３−０(Ｍｏｄｅ ３−０)のＵＥは、広帯域ＣＱＩ値を生成する。ＵＥは、各サブバンドを通じてデータを送信すると仮定して、各サブバンドに対するＣＱＩ値を生成する。このとき、ＲＩ＞１であっても、ＣＱＩ値は、最初のコードワードに対するＣＱＩ値のみを示す。
【００９８】
モード３−１(Ｍｏｄｅ ３−１)のＵＥは、システム帯域又は指定帯域(ｓｅｔ Ｓ)に対して、単一プレコーディング行列(ｐｒｅｃｏｄｉｎｇ ｍａｔｒｉｘ)を生成する。ＵＥは、各サブバンドに対して、先に生成した単一プレコーディング行列を仮定して、コードワードごとにサブバンドＣＱＩを生成する。また、ＵＥは、単一プレコーディング行列を仮定して、広帯域ＣＱＩを生成することができる。各サブバンドのＣＱＩ値は、差分の形式で表されてもよい。サブバンドＣＱＩ値は、サブバンドＣＱＩインデックスと広帯域ＣＱＩインデックスとの差分値で計算される。このとき、サブバンドのサイズは、システム帯域のサイズに応じて異なってもよい。
【００９９】
モード３−２(Ｍｏｄｅ ３−２)のＵＥは、モード３−１と比較して、全帯域に対する単一プレコーディング行列の代わりに、各サブバンドに対するプレコーディング行列を生成する。 
【０１００】
２）ＰＵＣＣＨを通じた周期的なＣＱＩ／ＰＭＩ／ＲＩ送信
【０１０１】
ＵＥは、ＣＳＩ(ｅ.ｇ. ＣＱＩ/ＰＭＩ/ＰＴＩ(ｐｒｅｃｏｄｉｎｇ ｔｙｐｅ ｉｎｄｉｃａｔｏｒ)及び／又はＲＩ情報)をＰＵＣＣＨを通じてＢＳに周期的に送信することができる。仮に、ＵＥがユーザデータを送信するという制御信号を受信した場合は、ＵＥはＰＵＣＣＨを通じてＣＱＩを送信することができる。制御信号がＰＵＳＣＨを通じて送信されても、ＣＱＩ/ＰＭＩ/ＰＴＩ/ＲＩは、以下の表に定義されているモードのうち、いずれか一方の方式によって送信されることができる。
【０１０２】
【表７】
2019532545.tif 000027
【０１０３】
ＵＥは、表７のような送信モードを有してもよい。表７を参考すると、モード２−０(Ｍｏｄｅ ２−０)及びモード２−１(Ｍｏｄｅ ２−１)の場合、帯域幅パート(ＢＰ：Ｂａｎｄｗｉｄｔｈ Ｐａｒｔ)は、周波数領域で連続して位置するサブバンドの集合であり、システム帯域又は指定帯域(ｓｅｔ Ｓ)を両方カバーすることができる。表７において、各サブバンドのサイズ、ＢＰのサイズ及びＢＰの数は、システム帯域のサイズに応じて異なってもよい。また、ＵＥは、システム帯域又は指定帯域(ｓｅｔ Ｓ)がカバーできるように、ＢＰごとにＣＱＩを周波数領域で昇順に送信する。
【０１０４】
ＣＱＩ/ＰＭＩ/ＰＴＩ/ＲＩの送信組み合わせによって、ＵＥは、以下のようなＰＵＣＣＨ送信タイプを有してもよい。
【０１０５】
ｉ) タイプ１(Ｔｙｐｅ １)： モード２−０(Ｍｏｄｅ ２−０)、モード２−１(Ｍｏｄｅ ２−１)のサブバンドＣＱＩ(ＳＢ−ＣＱＩ)を送信する。
【０１０６】
ｉｉ) タイプ１ａ： サブバンドＣＱＩ及び第２のＰＭＩを送信する。
【０１０７】
ｉｉｉ) タイプ２、タイプ２ｂ、タイプ２ｃ： 広帯域ＣＱＩ及びＰＭＩ(ＷＢ−ＣＱＩ/ＰＭＩ)を送信する。
【０１０８】
ｉｖ) タイプ２ａ： 広帯域ＰＭＩを送信する。
【０１０９】
ｖ) タイプ３： ＲＩを送信する。
【０１１０】
ｖｉ) タイプ４： 広帯域ＣＱＩを送信する。
【０１１１】
ｖｉｉ) タイプ５： ＲＩ及び広帯域ＰＭＩを送信する。
【０１１２】
ｖｉｉｉ) タイプ６： ＲＩ及びＰＴＩを送信する。
【０１１３】
ｉｘ) タイプ７： ＣＲＩ(ＣＳＩ−ＲＳ ｒｅｓｏｕｒｃｅ ｉｎｄｉｃａｔｏｒ)及びＲＩを送信する。
【０１１４】
ｘ) タイプ８： ＣＲＩ、ＲＩ及び広帯域ＰＭＩを送信する。 
【０１１５】
ｘｉ) タイプ９： ＣＲＩ、ＲＩ及びＰＴＩ(ｐｒｅｃｏｄｅ ｔｙｐｅ ｉｎｄｉｃａｔｉｏｎ)を送信する。 
【０１１６】
ｘｉｉ) タイプ１０： ＣＲＩを送信する。
【０１１７】
ＵＥがＲＩと広帯域ＣＱＩ／ＰＭＩを送信する場合、ＣＱＩ／ＰＭＩは、互いに異なる周期とオフセットを有するサブフレームに送信される。また、ＲＩと広帯域ＣＱＩ／ＰＭＩが同じサブフレームに送信されなければならない場合には、ＣＱＩ／ＰＭＩは送信されない。
【０１１８】
非周期的ＣＳＩ要請
【０１１９】
現在、ＬＴＥ標準では、ＣＡ(ｃａｒｒｉｅｒ ａｇｇｒｅｇａｔｉｏｎ)環境を考慮して、非周期的ＣＳＩフィードバックを動作させるためには、ＤＣＩフォーマット０又は４で２−ビットＣＳＩ要請フィールドを用いている。端末は、ＣＡ環境において複数のサービングセルが設定された場合、ＣＳＩ要請フィールドを２−ビットと解釈する。仮に全てのＣＣ(Ｃｏｍｐｏｎｅｎｔ Ｃａｒｒｉｅｒ)に対して、ＴＭ １から９の間のＴＭのうち１つが設定された場合、以下の表８の値によって非周期的ＣＳＩフィードバックがトリガリングされ、全てのＣＣのうち、少なくとも１つのＣＣに対してＴＭ １０が設定された場合は、以下の表９の値によって非周期的ＣＳＩフィードバックがトリガリングされる。
【０１２０】
【表８】
2019532545.tif 000028
【０１２１】
【表９】
2019532545.tif 000029
【０１２２】
パケットデータのレイテンシは重要な性能メートル(ｍｅｔｒｉｃ)の１つであり、これを減らして、より早いインターネットアクセスを最終ユーザ(ｅｎｄ ｕｓｅｒ)に提供することは、ＬＥＴのみならず、次世代移動通信システム、いわゆる新ＲＡＴ(ｎｅｗ ＲＡＴ)の設計においても重要な課題の１つといえる。
【０１２３】
ＬＥＴの最近標準では、データレートを増加させるための努力として、既に、搬送波併合、大規模ＭＩＭＯ、より高い変調次数などのような様々な技術が導入されている。しかし、ユーザプレーン(ｕｓｅｒ ｐｌａｎｅ)のレイテンシを劇的に減少させると同時にＴＣＰ(Ｔｒａｎｓｍｉｓｓｉｏｎ Ｃｏｎｔｒｏｌ Ｐｒｏｔｏｃｏｌ)スループットを向上させるために、プロセッシング時間を減少させることは核心的な技術の１つである。近来、ＬＥＴ標準では、プロセッシング時間の減少のために、「ＵＬ承認−ｔｏ−ＰＵＳＣＨ」、「ＤＬデータ−ｔｏ−ＤＬ ＨＡＲＱ−ＡＣＫフィードバック」のＤＬ受信−ＵＬ送信間のタイミングを減らす方案が論議されている。
【０１２４】
一方、早いＣＳＩ更新(ｕｐｄａｔｅ)の可否は、システム性能の決定において重要な要因となり得る。換言すれば、より早いＣＱＩ更新を用いて、より迅速なレート適応(ｒａｔｅ ａｄａｐｔａｔｉｏｎ)が可能となり、これからシステム性能の向上が期待できる。仮に、プロセッシング時間減少が支援されるシステムの場合、より早いＣＳＩフィードバックによって、ネットワークはさらに最適化したスケジューリングを行うことができる。
【０１２５】
本発明では、プロセッシング時間減少が支援される状況下でＣＳＩフィードバックを行うための方案を提案する。便宜のために、 本発明で説明する発明又は提案をＬＥＴに基づいて説明するが、該当内容は、新ＲＡＴなどの他の波形／フレーム構造が使用される技術にも適用可能である。本発明の実施例では、説明の便宜のために、特定のＴＴＩ長を仮定しているが、相違するＴＴＩ長の構成(例えば、ｓＴＴＩ(<１ｍｓｅｃ)、ｌｏｎｇＴＴＩ(=１ｍｓｅｃ)、ｌｏｎｇｅｒＴＴＩ(>１ｍｓｅｃ))に対しても本発明が適用可能であるのは当然である。例えば、次期のシステムにおいてサブキャリアの間隔を増加する形態としてｓＴＴＩが導入されてもよい。
【０１２６】
[Ｐｒｏｐｏｓａｌ １] 減少されたプロセッシング時間によるＣＳＩフィードバック
【０１２７】
[１−１] ＵＬデータ及びＣＳＩのプロセッシング時間が異なる場合のＣＳＩフィードバック
【０１２８】
端末がＵＬデータを送信するためには、以下のタイミングが考慮される。
【０１２９】
● ＰＤＣＣＨに対するチャンネル推定
【０１３０】
● ＰＤＣＣＨブラインド検出
【０１３１】
● ＰＵＳＣＨに対する電力制御
【０１３２】
● ＰＵＳＣＨに対するターボコーディング
【０１３３】
● タイミングアドバンス(Ｔｉｍｉｎｇ ａｄｖａｎｃｅ)
【０１３４】
現在、ＬＴＥ ｒｅｌ−１３標準によれば、「ＵＬ承認−ｔｏ−ＰＵＳＣＨ」にかかる時間は、４サブフレームと規定されている。プロセッシング時間減少を支援する端末の場合、上述した動作に対して、相対的に少ない時間がかかるはずであり、よって、サブフレーム＃ｎにおいてＵＬ承認でスケジュールされたＵＬデータがサブフレーム＃ｎ＋ｋ(ここで、ｋは４未満の整数)に送信されてもよい。仮に、ＵＬ承認に非周期的ＣＳＩ要請によってＣＳＩ報告がトリガ(ｔｒｉｇｇｅｒ)される場合、端末は、ＣＳＩ関連計算に相対的に少ない時間をかけて完了したときにのみ、サブフレーム＃ｎ＋ｋにおいてＰＵＳＣＨでＣＳＩフィードバックを行うことができる。ただし、端末の能力(ｃａｐａｂｉｌｉｔｙ)によっては、ＣＳＩ計算にかかる時間が減少できないことがある。
【０１３５】
ＰＵＳＣＨスケジューリングのためのＵＬ承認とは別のＡ−ＣＳＩ要請のためのＵＬ承認によってＣＳＩフィードバックをトリガすることができる。１つの方案として、「Ａ−ＣＳＩ ｏｎｌｙ ＰＵＳＣＨ」をトリガするＵＬ承認に対しては、予め定義された、設定された、又はシグナリングされた(ＰＵＳＣＨとは異なる)別の「ＤＬ−ｔｏ−ＵＬ Ｔｘタイミング」を用いてＣＳＩフィードバックを行うように規則が定義されてもよい。
【０１３６】
その他の方案として、特定の時点に送信されるＵＬ承認でＰＵＳＣＨとＡ−ＣＳＩの送信タイミングを指示するように規則が定義されてもよい。すなわち、１つのＵＬ承認で互いに異なる送信タイミングを有する、ＰＵＳＣＨとＡ−ＣＳＩを含むその他のＰＵＳＣＨをスケジュールすることができる。一例として、サブフレーム＃ｎで送信されたＵＬ承認によって、ＰＵＳＣＨはサブフレーム ＃ｎ＋ｋ１、ＣＳＩはサブフレーム＃ｎ＋ｋ２で送信されるように、ｋ１とｋ２に関する情報が予め定義されているか、上位層信号によって設定されているか、又はＵＬ承認によって動的に指示されるように規則が定義されてもよい。具体的に、ｋ１とｋ２に関する情報は、ＰＵＳＣＨ送信タイミングに対するＣＳＩ送信時点をオフセットの形態として指示するように規則が定義されてもよい。 
【０１３７】
このとき、ＣＳＩに対するスケジューリング情報は、ＰＵＳＣＨに対するスケジューリング情報を再使用するものの、一部の情報は変えてもよい。一例として、ＣＳＩに対するリソース割り当てのような情報は、予め定義されているか、又はシグナリングによって別途の周波数リソースとして送信されるように規則が定義されてもよい。また、ＵＬ承認に別途のＨＡＲＱプロセスを含み、ＰＵＳＣＨとＣＳＩに対するＨＡＲＱ−ＡＣＫが異なるタイミングで送信されるように規則が定義されてもよい。 
【０１３８】
或いは、所定のサブフレームインデックス、ｓＴＴＩインデックス(サブフレーム内)又はスロットインデックスに該当するサブフレーム／ｓＴＴＩ／スロットなどでのみ非周期的ＣＳＩがトリガされるように規定されてもよい。このサブフレームインデックス、ｓＴＴＩインデックス又はスロットインデックスの規定は、これに対応する(ｓ)ＰＵＳＣＨまでのプロセッシング時間(「ＤＬ−ｔｏ−ＵＬ Ｔｘ ｔｉｍｉｎｇ」)が他のサブフレーム、ｓＴＴＩ、スロットなどに比べて長い場合に有用であり、例えば、ＴＤＤのＤＬ／ＵＬ設定によって発生するか、ｓＴＴＩのＤＭ−ＲＳ共有によって発生するか、又はＵＬ送信タイミングが指定されるときに発生してもよい。 
【０１３９】
[１−２] ＣＳＩ計算の簡略化
【０１４０】
仮に、プロセッシング時間減少が支援されることと同様なレベルのＣＳＩ要請及び報告タイムラインを支援しようとする場合、ＣＳＩ計算の簡略化が必要となり得る。１つの方案として、プロセッシング時間減少関連設定が活性化された場合(一例として、「ＤＬ−ｔｏ−ＵＬ Ｔｘ ｔｉｍｉｎｇ」がレガシータイミングに比べて短く設定／指示された場合)、端末に設定されている報告モードを無視して、周期的ＣＳＩのための報告モードが送信されたり、非周期的ＣＳＩ報告モードのうち広帯域報告(例え、モード１−０、１−１)又はサブバンド(ｓｕｂｂａｎｄ)報告が送信されたりするように規則が定義されてもよい。 
【０１４１】
このとき、サブバンド数の増加につれて複雑さが増加するため、サブバンドの報告は、先のＣＳＩ報告(これは、具体的に、ｌｏｎｇ ＴＴＩによって送信されたＣＳＩ報告であってもよく、周期的ＣＳＩの報告のうち最近の報告であってもよい)によってベスト(ｂｅｓｔ)と選定されたサブバンドと、その次のベストのサブバンド、又は予め定義されているか、シグナリングされた数分だけのベストサブバンドと限定されてもよく、半静的(ｓｅｍｉ−ｓｔａｔｉｃ)及び/又は動的シグナリングによってＣＳＩ計算が行われるサブバンドが指定されてもよい。換言すれば、ｓＴＴＩなどでトリガされる非周期的ＣＳＩの場合には、周期的ＣＳＩの報告が代わりに送信されてもよい。又は、周期的ＣＳＩ報告で測定されるＣＱＩ及び/又はＰＭＩ及び/又はＲＩの全てが送信されてもよい。 
【０１４２】
すなわち、プロセッシング時間減少の支援のために導入されるＣＳＩ報告は、新しい計算なく送信できるＣＳＩ報告に限られてもよい。この設定のために周期的ＣＳＩが設定されて測定されるが、報告そのものはｓＴＴＩなどで非周期的にのみトリガされることが仮定できる。また、このようなＣＳＩの場合、測定参照リソースなどがｓＴＴＩに基づいて構成されてもよい。具体的に、このとき、ＣＳＩ計算のためのサブバンド又はバンドは、ｓＴＴＩが設定された(連続的／非−連続的)ＢＷと限定されてもよい。又は、プロセッシング時間減少関連設定がイネーブル(ｅｎａｂｌｅ)となった場合、端末は、ＣＳＩ計算に対するオーバーヘッドを減少させるために、システムＢＷによって決定されたサブバンドのサイズをより大きく再調整するように規則が定義されてもよい。 
【０１４３】
その他の方案として、プロセッシング時間によるＰＭＩ集合制限を端末に設定して、当該ＵＬ承認に対して設定又は指示された「ＤＬ−ｔｏ−ＵＬ Ｔｘ ｔｉｍｉｎｇ」に従って、端末が使用するＰＭＩ集合制限を決定するように規則が定義されてもよい。具体的に、プロセッシング時間が減少するほど、端末がＰＭＩ計算に対して、より少ない数のＰＭＩからなる集合を使用するように規則が定義されてもよい。 
【０１４４】
その他の方案として、プロセッシング時間減少設定がイネーブルとなった場合(一例として、「ＤＬ−ｔｏ−ＵＬ Ｔｘ ｔｉｍｉｎｇ」がレガシータイミングに比べて短く設定又は指示された場合)、トリガされたＣＳＩプロセスの数によって、端末がネットワークによって設定された報告モードに従うか、又は広帯域報告或いはより大きいサブバンドサイズベースの報告を行うかを決定するように規則が定義されてもよい。 
【０１４５】
その他の方案として、ＣＳＩプロセスごとに複数の報告モードを予め設定して、「ＤＬ−ｔｏ−ＵＬ Ｔｘ ｔｉｍｉｎｇ」及び／又はニューマロロジー(ｎｕｍｅｒｏｌｏｇｙ)(例え、ＵＬ ＴＴＩ長)に応じて報告モードが決定されるように規則が定義されてもよい。
【０１４６】
その他の方案として、プロセッシング時間減少関連設定がイネーブルとなった場合(一例として、「ＤＬ−ｔｏ−ＵＬ Ｔｘ ｔｉｍｉｎｇ」がレガシータイミングに比べて短く設定又は指示された場合)、Ａ−ＣＳＩ要請ビットが指す状態(ｓｔａｔｅ)に連動するＣＳＩプロセスのうち、一部のＣＳＩプロセスに対してのみ選択的にＣＳＩを計算及び／又は報告するように規則が定義されてもよい。このとき、いくつのＣＳＩプロセスに対するＣＳＩを計算及び／又は報告するかはニューマロロジー(例え、ＴＴＩ長)及び／又はプロセッシング時間及び／又は端末が同時に報告可能な最大のＣＳＩ更新／計算能力などを考慮して、予め約束／定義されているか、ネットワークが上述した事項を考慮してシグナリングするか、又は端末が恣意的に判断して報告するものの、Ａ−ＣＳＩ要請ビットによってトリガされたＣＳＩ報告集合のうち、端末が報告するＣＳＩプロセスの数及び／又はインデックスなどに関する情報を含んでＣＳＩフィードバックを行うことができる。一例として、「ＤＬ−ｔｏ−ＵＬ Ｔｘ ｔｉｍｉｎｇ」が２ｍｓと設定された端末の場合、Ａ−ＣＳＩ要請によってトリガされた集合内の１つのＣＳＩプロセスに対してのみＣＳＩ計算及び／又はＣＳＩ報告を行うように規則が定義されてもよい。 
【０１４７】
現在、ＬＴＥ標準によれば、ＣＳＩ−ＲＳは、ＯＦＤＭシンボル＃５、６、９、１０、１２、１３に設定されてもよい。仮に、サブフレーム＃ｎでＵＬ承認ＤＣＩによってＡ−ＣＳＩ報告がトリガされる場合、送信モード９／１０端末は、ＣＳＩ−ＲＳも当該サブフレームで送信される状況を考慮して、当該サブフレームが終るまでＣＳＩ計算のためのチャンネル測定を期待してもよい。仮に、端末が、サブフレーム内の後半部のＯＦＤＭシンボルに該当するＣＳＩ−ＲＳ設定を行わないように予め約束されている場合、より短い「ＤＬ−ｔｏ−ＵＬ Ｔｘ ｔｉｍｉｎｇ」にデータとＣＳＩ報告を行ってもよい。よって、プロセッシング時間減少関連設定がイネーブルとなった場合、特定のＣＳＩ−ＲＳ設定に限って端末に設定されるように規則が定義されてもよい。ここで、特定のＣＳＩ−ＲＳ設定とは、サブフレーム内の前半部のＯＦＤＭシンボル(例え、ＯＦＤＭシンボル＃５、６又はＯＦＤＭシンボル＃５、６、９、１０)を含むＣＳＩ−ＲＳ設定であってもよい。又は、プロセッシング時間減少関連設定がイネーブルとなった場合、特定のＣＳＩ−ＲＳ設定が行われないように規則が定義されてもよい。ここで、特定のＣＳＩ−ＲＳ設定とは、サブフレーム内の後半部のＯＦＤＭシンボル(例え、ＯＦＤＭシンボル＃１２、１３)を含むＣＳＩ−ＲＳ設定であってもよい。 
【０１４８】
一例として、ＦＤＤ、４ポート、一般ＣＰの場合、「ＤＬ−ｔｏ−ＵＬ Ｔｘ ｔｉｍｉｎｇ」がレガシータイミングに比べて短く設定又は指示されたとき、端末は、ＯＦＤＭシンボル＃１２、１３に該当するＣＳＩ設定４，９を除くその他のＣＳＩ−ＲＳのみが設定されるように規則が定義されてもよい。 
【０１４９】
同様に、ＥＰＤＣＣＨ ＢＤを行うために、特定のサブフレームが終るまでＣＳＩ計算のためのチャンネルの測定を期待してもよい。よって、プロセッシング時間減少関連設定がイネーブルとなった場合、ＥＰＤＣＣＨによって当該端末に対してはスケジュールされないように規則が定義されてもよい。換言すれば、プロセッシング時間減少関連設定がイネーブルとなった場合、当該端末はＰＤＣＣＨのみによってスケジュールされることと期待して、ＰＤＣＣＨ ＢＤを行い、ＥＰＤＣＣＨ ＢＤは行わない。 
【０１５０】
[１−３] ＣＳＩ更新／計算／報告関連能力シグナリング
【０１５１】
上述したプロセッシング時間減少に対応する適宜量のＣＳＩフィードバックトリガ又は報告動作を支援するために、端末がネットワークに同時に可能な最大のＣＳＩ更新／計算能力を報告することが有利であり得る。具体的に、端末に設定されたニューマロロジーごとに、又は設定されたプロセッシング時間ごとに、又はこれらの組み合わせごとに、同時に可能な最大のＣＳＩ更新／計算能力をセル又はＣＳＩプロセスの数単位でネットワークに報告するように規則が定義されてもよい。或いは、端末に設定されたニューマロロジーごとに、又は設定されたプロセッシング時間ごとに、又はこれらの組み合わせごとに、同時に報告する最大のＣＳＩの数を端末がネットワークに報告するように規則が定義されてもよい。 
【０１５２】
或いは、端末は、ＣＳＩプロセッシングにかかる時間を予め定義又は約束した時間単位でネットワークに報告してもよい。一例として、端末は、ＣＳＩプロセッシングにかかる時間が設定されたＴＴＩ単位又は実際の時間単位を用いてネットワークに報告してもよい。 
【０１５３】
すなわち、具体例として、プロセッシング時間減少が設定された端末の場合、当該減少されたプロセッシング時間に対応する同時に可能な最大のＣＳＩ更新／計算能力以上のセル又はＣＳＩプロセスに対する更新を要求されることはない。
【０１５４】
[１−４] 最大の送信ブロックサイズ(ｔｒａｎｓｐｏｒｔ ｂｌｏｃｋ ｓｉｚｅ；ＴＢＳ)への制限
【０１５５】
端末が所定の時間で処理可能なデータとＣＳＩ報告の量には限定がある。よって、端末に設定されたニューマロロジー及び／又は設定されたプロセッシング時間及び／又はＵＬ承認に非周期的ＣＳＩ要請が含まれてＣＳＩ報告がトリガされるか否かに応じて、最大のＴＢＳの設定が異なる。一例として、ＵＬ承認に非周期的ＣＳＩ要請が含まれてＣＳＩ報告がトリガされる場合、含まれない場合に比べて、最大のＴＢＳが小さく設定される。 
【０１５６】
さらに、ＵＬ承認に非周期的ＣＳＩ要請が含まれてＣＳＩ報告がトリガされる場合、トリガされた状態に連動するＣＳＩプロセス(グループ)の数を考慮して、ＣＳＩプロセス(グループ)の数に応じて最大のＴＢＳの設定が異なってもよい。 
【０１５７】
[１−５] 最大のリソース割り当てへの制限
【０１５８】
端末にスケジュールされる周波数リソースのサイズが小さくなるほど端末のＭＩＭＯデコーディングに該当するプロセッシング時間を減らすことができる。よって、端末に設定されたニューマロロジー及び／又は設定されたプロセッシング時間及び／又はＵＬ承認に非周期的ＣＳＩ要請が含まれてＣＳＩ報告がトリガされるか否かに応じて、割り当て可能な最大の周波数リソース領域のサイズの設定が異なってもよい。ここで、「割り当て可能な最大の周波数リソース領域」とは、システムＢＷによって決定される値であってもよく、端末に異なるニューマロロジー用途として設定される全体のサブバンドのサイズによって決定される値であってもよい。 
【０１５９】
さらに、ＵＬ承認に非周期的ＣＳＩ要請が含まれてＣＳＩ報告がトリガされる場合、トリガされた状態に連動するＣＳＩプロセス(グループ)の数を考慮して、ＣＳＩプロセス(グループ)の数に応じて割り当て可能な最大の周波数リソース領域のサイズの設定が異なってもよい。 
【０１６０】
[１−６] ＣＳＩプロセスの数への制限
【０１６１】
ＵＬ承認に非周期的ＣＳＩ要請が含まれてもＣＳＩ報告がトリガされる場合、トリガされた状態に連動するＣＳＩプロセス(グループ)の数に応じて、「ＤＬ−ｔｏ−ＵＬ Ｔｘ ｔｉｍｉｎｇ」が決定されるように規則が定義されてよい。ここで、「ＤＬ−ｔｏ−ＵＬ Ｔｘ ｔｉｍｉｎｇ」は、端末に設定されたニューマロロジー及び／又はＵＬ承認に非周期的ＣＳＩ要請が含まれてＣＳＩ報告がトリガされるか否か及び／又はＴＢＳ及び／又は割り当てられた周波数リソース領域のサイズに応じて独立して設定されてもよい。 
【０１６２】
[１−７] ＣＳＩ報告／更新の優先順位
【０１６３】
「ＤＬ−ｔｏ−ＵＬ Ｔｘ ｔｉｍｉｎｇ」の長さの異なる複数のＵＬ承認のＡ−ＣＳＩ要請によってＣＳＩ報告がトリガされて、複数のＣＳＩ報告が同一のＵＬチャンネル(例え、ＰＵＳＣＨ)送信時点である場合、端末は「ＤＬ−ｔｏ−ＵＬ Ｔｘ ｔｉｍｉｎｇ」の長さがより短い方のＵＬチャンネルに該当するＣＳＩを先に更新するように規則が定義されてもよい。 
【０１６４】
複数のＣＳＩ報告に対する送信タイミングが(一部又は全体に該当する)特定のＴＴＩと重なる場合、衝突ハンドリングの際、「ＤＬ−ｔｏ−ＵＬ Ｔｘ ｔｉｍｉｎｇ」の長さを優先順位の決定のための比較条件に追加して考慮するように規則が定義されてもよい。一例として、「ＤＬ−ｔｏ−ＵＬ Ｔｘ ｔｉｍｉｎｇ」の長さ > ＣＳＩ報告モード > ＣＳＩプロセス > セルインデックス > ＣＳＩ ＳＦ集合インデックス、或いは、ＣＳＩ報告モード > 「ＤＬ−ｔｏ−ＵＬ Ｔｘ ｔｉｍｉｎｇ」の長さ > ＣＳＩプロセス > セルインデックス > ＣＳＩ ＳＦ集合インデックス、或いは、ＣＳＩ報告モード > ＣＳＩプロセス > セルインデックス > 「ＤＬ−ｔｏ−ＵＬ Ｔｘ ｔｉｍｉｎｇ」の長さ > ＣＳＩ ＳＦ集合インデックスのような方式でパラメータが順次に考慮又は比較されて、ＣＳＩ報告の優先順位が決定されてもよい。ここで、ＣＳＩ報告モードが同一の場合、ＣＳＩ間の優先順位は、モードａ−ｂ> モードｃ−ｄ(ａ<ｃ、ｂ<ｄ)と定義されてもよく、これは、より簡単な(ｃｏｍｐａｃｔ)報告モードの優先順位が高いことを意味する(例え、モード１−０がモード２−２よりも優先順位が高い)。  
【０１６５】
[１−８] 部分Ａ−ＣＳＩ報告
【０１６６】
ＣＳＩプロセッシングにかかる時間に対するマージン(ｍａｒｇｉｎ)を与えるために、Ａ−ＣＳＩ報告に該当する情報をＡ−ＣＳＩが送信されるＵＬチャンネルの一部リソースにのみマッピングされるように規則が定義されてもよい。一例として、Ａ−ＣＳＩ報告に該当する情報をサブフレーム内の後ろスロット又は後ろのいくつかの特定のシンボルにのみマッピングされるように規則が定義されてもよい。このマッピング規則は、端末に設定されたニューマロロジー及び／又は設定されたプロセッシング時間に応じて異なってもよい。また、このマッピング規則は、端末にトリガされたＡ−ＣＳＩ要請に該当するセル又はＣＳＩプロセスの数が予め定義又は約束されているか、又はシグナリングされた所定数以上の場合にのみ適用されてもよい。 
【０１６７】
[１−９] ＣＳＩベースリソースの定義
【０１６８】
従来のＬＴＥ標準によれば、ＣＳＩ参照リソースは、時間ドメインにおいて以下のように定義される。 
【０１６９】
● サービングセルのためのＣＳＩベースリソース設定
【０１７０】
■ ケース１： 送信モード１−９又は単一ＣＳＩプロセスの送信モード１０が設定される場合、サブフレーム＃ｎで送信するＣＳＩ報告に対して、ＣＳＩ参照リソースは単一下りリンク/特異サブフレーム＃ｎ−ｎ_{ＣＱＩ−ｒｅｆ}と設定される。
【０１７１】
◆ 周期的ＣＳＩ報告に対して、ｎ_{ＣＱＩ−ｒｅｆ}は、４以上の値のうち、当該ＣＳＩサブフレーム集合に該当する最小値に該当して、有効ＤＬ／特異サブフレームと選択される。
【０１７２】
◆ 非周期的ＣＳＩ報告に対して、ｎ_{ＣＱＩ−ｒｅｆ}は、サブフレーム＃ｎ−ｎ_{ＣＱＩ−ｒｅｆ}が、非周期的ＣＳＩ要請が送信された有効ＤＬ／特異サブフレームになるように選択される。
【０１７３】
● 非周期的ＣＳＩの場合、非周期的ＣＳＩ要請が送信されるＳＦのＣＳＩ ＳＦ集合に従う。
【０１７４】
◆ ランダムアクセス承認による非周期的ＣＳＩ報告に対して、ｎ_{ＣＱＩ−ｒｅｆ}は４の値であり、有効ＤＬ／特異サブフレームであり、ランダムアクセス承認を受信したサブフレーム以後のサブフレームに限定される。 
【０１７５】
■ ケース２： 複数のＣＳＩプロセスの送信モード１０が設定された場合、サブフレーム＃ｎで送信するＣＳＩ報告に対して与えられたＣＳＩプロセスに対するＣＳＩ参照リソースは、単一下りリンク／特異サブフレーム＃ｎ−ｎ_{ＣＱＩ−ｒｅｆ}と設定される。
【０１７６】
◆ ＦＤＤ周期的／非周期的ＣＳＩ報告に対して、ｎ_{ＣＱＩ−ｒｅｆ}は５以上の値のうち、当該ＣＳＩ ＳＦ集合に該当する最小値のＤＬ有効サブフレームと選択。
【０１７７】
● 単一ＣＳＩプロセスに比べて長くかかると期待される。
【０１７８】
● 非周期的ＣＳＩの場合、非周期的ＣＳＩ要請が送信されるＳＦのＣＳＩ ＳＦ集合に従う。
【０１７９】
◆ ＦＤＤにおけるランダムアクセス承認による非周期的ＣＳＩ報告に対して、ｎ_{ＣＱＩ−ｒｅｆ}の値は５であり、ＤＬ有効であり、ｎ−ｎ_{ＣＱＩ−ｒｅｆ}がランダムアクセス承認以後に限定される。
【０１８０】
● 非周期的ＣＳＩの場合、非周期的ＣＳＩ要請が送信されるＳＦのＣＳＩ ＳＦ集合に従う。
【０１８１】
◆ ＴＤＤ２又は３ ＣＳＩプロセスの周期的／非周期的ＣＳＩ報告に対して、ｎ_{ＣＱＩ−ｒｅｆ}は、４以上の値のうち、当該ＣＳＩ ＳＦ集合に該当する最小値(最も近いサブフレーム)のＤＬ有効サブフレームと選択。
【０１８２】
● 非周期的ＣＳＩの場合、非周期的ＣＳＩ要請が送信されるＳＦのＣＳＩ ＳＦ集合に従う。
【０１８３】
◆ ＴＤＤ ２又は３ ＣＳＩプロセスのランダムアクセス承認による非周期的ＣＳＩ報告に対して、ｎ_{ＣＱＩ−ｒｅｆ}の値は４であり、ＤＬ有効であり、ｎ−ｎ_{ＣＱＩ−ｒｅｆ}がランダムアクセス承認以後に限定される。
【０１８４】
● 非周期的ＣＳＩ要請が送信されるＳＦのＣＳＩ ＳＦ集合に従う。
【０１８５】
◆ ＴＤＤ ４ ＣＳＩプロセスの周期的／非周期的ＣＳＩ報告に対して、ｎ_{ＣＱＩ−ｒｅｆ}は５以上の値のうち該当ＣＳＩ ＳＦ集合に該当する最小値(最も近いサブフレーム)のＤＬ有効サブフレームと選択。
【０１８６】
● 非周期的ＣＳＩの場合、非周期的ＣＳＩ要請が送信されるＳＦのＣＳＩ ＳＦ集合に従う。
【０１８７】
◆ ＴＤＤ 4 ＣＳＩプロセスのランダムアクセス承認による非周期的ＣＳＩ報告に対して、ｎ_{ＣＱＩ−ｒｅｆ}の値は５であり、ＤＬ有効であり、ｎ−ｎ_{ＣＱＩ−ｒｅｆ}がランダムアクセス承認以後に限定される。
【０１８８】
● 非周期的ＣＳＩ要請が送信されるＳＦのＣＳＩ ＳＦ集合に従う。
【０１８９】
ケース１の非周期的ＣＳＩ報告の場合、ＣＳＩ参照リソースが、ＣＳＩ要請が送信された有効ＤＬ／特異サブフレームと定義されている。しかし、「ＵＬ承認−ｔｏ−ＰＵＳＣＨ送信」に対して、プロセッシング時間減少が適用された場合、ＣＳＩ測定の参照リソースと報告時間との間のマージンがさらに減って、端末の具現によってはこの制約は負担になり得る。
【０１９０】
よって、端末に設定されたプロセッシング時間に応じて(時間ドメイン上の)ＣＳＩ参照リソースが相違するように定義されてもよい。具体的に、プロセッシング時間減少が設定された端末に送信モード１−９又は単一ＣＳＩプロセスの送信モード１０が設定されたとき、サブフレーム＃ｎで送信する非周期的ＣＳＩ報告に対しては、ＣＳＩ参照リソースが単一ＤＬ／特異サブフレーム＃ｎ−ｎ_{ＣＱＩ−ｒｅｆ}と設定され、このとき、ｎ_{ＣＱＩ−ｒｅｆ}はｋ以上の値のうち、該当ＣＳＩ ＳＦ集合に含まれるＤＬ／特異サブフレームのうち最小値(すなわち、最も近いサブフレーム)と定義されてもよい。
【０１９１】
ここで、ｋは４と定義／約束されていてもよく、又は予め定義又は約束されているか、上位層又は物理層信号によってプロセッシング時間ごとに相違するように指示された所定値であってもよい。一例として、ｋ＝４と定義される場合、プロセッシング時間減少が設定された端末に送信モード１−９又は単一ＣＳＩプロセスの送信モード１０が設定される場合、ＣＳＩ要請が送信されたＤＬ／特異有効サブフレームがサブフレーム＃ｎ−３であっても、サブフレーム＃ｎで送信する非周期的ＣＳＩ報告に対して、ＣＳＩ参照リソースが単一ＤＬ／特異サブフレーム＃ｎ−ｎ_{ＣＱＩ−ｒｅｆ}と設定され、このとき、ｎ_{ＣＱＩ−ｒｅｆ}は４以上の値のうち該当ＣＳＩ ＳＦ集合に含まれるＤＬ／特異有効サブフレームのうち最小値(すなわち、最も近いサブフレーム)と定義されてもよい。すなわち、ＣＳＩ参照リソースで設定される有効サブフレームが、ＣＳＩ要請が送信されたＤＬ／特異有効サブフレームと相違するように定義されてもよい。
【０１９２】
これとは異なり、プロセッシング時間の減少につれて、ＣＳＩ測定の参照リソースと報告時間との間のマージンも小さく設定されるように規則が定義されてもよい。上述のように、ｎ_{ＣＱＩ−ｒｅｆ}がｋ以上の値におけるＤＬ／特異有効サブフレームのうち、最小値(すなわち、最も近いサブフレーム)と定義されると仮定する。具体的に、プロセッシング時間減少が設定された端末の場合、ｎ_{ＣＱＩ−ｒｅｆ}となり得る最小値(例え、上述したｋ)が従来のレガシープロセッシング時間下に定義されたｎ_{ＣＱＩ−ｒｅｆ}となり得る最小値よりも小さく設定されてもよく、この「ｎ_{ＣＱＩ−ｒｅｆ}になり得る最小値」は、プロセッシング時間ごとに相違するように予め約束又は定義されているか、上位層又は物理層信号によって設定されてもよい。例えば、「ＤＬ−ｔｏ−ＵＬ Ｔｘ ｔｉｍｉｎｇ」が３ｍｓと設定された場合、周期的ＣＳＩ報告に対してｎ_{ＣＱＩ−ｒｅｆ}は３以上の値のうち該当ＣＳＩ ＳＦ集合に該当する最小値(最も近い)のＤＬ／特異有効サブフレームと選択されるように規則が定義されてもよい。
【０１９３】
[Ｐｒｏｐｏｓａｌ ２] Ａ−ＣＳＩ ｏｎｌｙ ＰＵＳＣＨに対するトリガ条件
【０１９４】
現在のＬＴＥ標準によれば、以下の条件が満たされる場合、Ａ−ＣＳＩ ｏｎｌｙ ＰＵＳＣＨ送信、つまり、ＵＬ−ＳＣＨ(ｕｐｌｉｎｋ ｓｈａｒｅｄ ｃｈａｎｎｅｌ)のための送信ブロック(ｔｒａｎｓｐｏｒｔ ｂｌｏｃｋ)無しに、Ａ−ＣＳＩのみを含むＰＵＳＣＨ送信がトリガされる。
【０１９５】
● ＤＣＩフォーマット０が用いられ、Ｉ_ＭＣＳ＝２９又はＤＣＩフォーマット４が用いられ、１送信ブロック(ＴＢ)のみイネーブル(ｅｎａｂｌｅ)となり、そのＴＢのＩ_ＭＣＳ＝２９であり、送信レイヤ数は１であるとき、
【０１９６】
■ ＣＳＩ要請ビットフィールドが１ビットであり、非周期的ＣＳＩ報告がトリガされ、Ｎ_ＰＲＢが４以下である場合
【０１９７】
■ 或いは、ＣＳＩ要請ビットフィールドが２ビットであり、１つのサービングセルに対して非周期的ＣＳＩ報告がトリガされ、Ｎ_ＰＲＢが４以下である場合
【０１９８】
■ 或いは、ＣＳＩ要請ビットフィールドが２ビットであり、複数のサービングセルに対して非周期的ＣＳＩ報告がトリガされ、Ｎ_ＰＲＢが２０以下である場合
【０１９９】
■ 或いは、ＣＳＩ要請ビットフィールドが２ビットであり、１つのＣＳＩプロセスに対して非周期的ＣＳＩ報告がトリガされ、Ｎ_ＰＲＢが４以下である場合
【０２００】
■ 或いは、ＣＳＩ要請ビットフィールドが２ビットであり、複数のＣＳＩプロセスに対して非周期的ＣＳＩ報告がトリガされ、Ｎ_ＰＲＢが２０以下である場合
【０２０１】
仮に、ｓＴＴＩが支援される場合、該当ｓＴＴＩにおいて同様なレベルのコーディングレートを維持しながら、Ａ−ＣＳＩを送信するためには、より多くの周波数リソースが必要になり得る。具体的に、上述したＡ−ＣＳＩ ｏｎｌｙ ＰＵＳＣＨ送信がトリガされるための条件のうち、ＰＲＢ数の条件がＴＴＩ長(グループ)別に従来の値と異なってもよい。具体的に、ＰＲＢ数の条件が「１ｍｓ当たりｓＴＴＩの数」の関数で決定されてもよい。例えば、ＴＴＩ長によって、２シンボルの場合、従来のＰＲＢしきい値の６倍又は７倍に、４シンボルの場合、従来のＰＲＢしきい値の４倍に、７シンボルの場合、従来のＰＲＢしきい値の２倍に定義されてもよい。
【０２０２】
仮に、プロセッシング時間減少関連決定がイネーブルとなって、Ａ−ＣＳＩ要請ビットが指す状態に連動するＣＳＩプロセスのうち一部数に対してのみ選択的に報告するように設定される場合には、上述した規則が適用されず、従来の規則に従ってＡ−ＣＳＩ ｏｎｌｙ ＰＵＳＣＨトリガリングのためのＰＲＢ条件が決定されてもよい。換言すれば、上述した規則は、ｓＴＴＩが支援される状況において、Ａ−ＣＳＩ要請ビットが指す状態に連動するＣＳＩプロセスの数が、予め定義又は約束、又はシグナリングされた所定値以上の場合にのみ適用されるように規則が制限されてもよい。 
【０２０３】
図５は、本発明の一実施例に係る動作を示す図である。 
【０２０４】
図５は、無線通信システムにおいて、チャンネル状態情報−参照信号(ｃｈａｎｎｅｌ ｓｔａｔｅ ｉｎｆｏｒｍａｔｉｏｎ−ｒｅｆｅｒｅｎｃｅ ｓｉｇｎａｌ；ＣＳＩ−ＲＳ)ベースのチャンネル状態報告を行う方法を示す。
【０２０５】
端末は、プロセッシング時間減少(ｓｈｏｒｔｅｎｅｄ ｐｒｏｃｅｓｓｉｎｇ ｔｉｍｅ)が設定された該端末が同時に更新または計算可能な最大のＣＳＩプロセスの数に関する端末能力(ｃａｐａｂｉｌｉｔｙ)情報を基地局に送信してもよい(Ｓ５１０)。この端末は、基地局から非周期的ＣＳＩ要請を受信してもよい(Ｓ５２０)。その後、非周期的ＣＳＩ要請に応じて端末能力情報に基づいて、プロセッシング時間減少のために設定された時点のＣＳＩベースリソースでＣＳＩを更新又は計算して、更新又は計算されたＣＳＩを基地局に送信してもよい(Ｓ５３０)。 
【０２０６】
また、端末能力情報は、端末に設定されたニューマロロジーごとに及び／又は端末に設定されたプロセッシング時間ごとに、端末が同時に更新又は計算可能な最大のＣＳＩプロセスの数を含んでもよい。
【０２０７】
更新又は計算されたＣＳＩが、サブフレームｎで送信される場合、更新又は計算されたＣＳＩが測定されたＣＳＩベースリソースは、サブフレームｎ−ｋに属して、ここで、ｋの最小値は、プロセッシング時間減少の設定されていない端末のための最小値未満の整数に設定されてもよい。 
【０２０８】
サブフレームｎ−ｋは、非周期的ＣＳＩ要請が送信されるサブフレームｎと連結されたＣＳＩサブフレーム集合のうち、サブフレームｎと最も近いサブフレームであってもよい。 
【０２０９】
また、ｋの最小値は、周波数分割デュプレックス(ｆｒｅｑｕｅｎｃｙ ｄｉｖｉｓｉｏｎ ｄｕｐｌｅｘ；ＦＤＤ)のためのサービングセルに対しては、５未満の整数であってもよい。また、ｋの最小値は、時間分割デュプレックス(ｔｉｍｅ ｄｉｖｉｓｉｏｎ ｄｕｐｌｅｘ；ＴＤＤ)のためのサービングセルに対しては、端末のためのＣＳＩプロセスが２又は３個である場合、４未満の整数であり、端末のためのＣＳＩプロセスが４個である場合、５未満の整数であってもよい。 
【０２１０】
また、非周期的ＣＳＩ要請がサブフレームｍで受信される場合、更新又は計算されたＣＳＩは、サブフレーム ｍ＋ｌで送信され、ｌは４未満の整数に設定されてもよい。
【０２１１】
また、ＣＳＩベースリソースを含むサブフレームは、非周期的ＣＳＩ要請が受信されたサブフレームと異なってもよい。 
【０２１２】
以上、図５を参照して、本発明に係る実施例を簡単に説明したが、図５に係る実施例は、上述した実施例のうち少なくとも一部を代案に又は追加に含むことができる。
【０２１３】
図６は、本発明の実施例を実行する送信装置１０及び受信装置２０の構成要素を示すブロック図である。送信装置１０及び受信装置２０は、情報及び／又はデータ、信号、メッセージなどを運ぶ無線信号を送信又は受信できる送信機／受信機１３，２３と、無線通信システム内の通信と関連した各種情報を記憶するメモリ１２，２２と、送信機／受信機１３，２３及びメモリ１２，２２などの構成要素と動作的に接続してこれらの構成要素を制御し、当該装置が前述の本発明の実施例の少なくとも一つを実行するようにメモリ１２，２２及び／又は送信機／受信機１３，２３を制御するように構成されたプロセッサ１１，２１をそれぞれ備える。
【０２１４】
メモリ１２，２２は、プロセッサ１１，２１の処理及び制御のためのプログラムを格納することができ、入／出力される情報を仮記憶することができる。メモリ１２，２２がバッファーとして活用されてもよい。プロセッサ１１，２１は、一般に、送信装置又は受信装置内の各種モジュールの動作全般を制御する。特に、プロセッサ１１，２１は、本発明を実行するための各種制御機能を果たすことができる。プロセッサ１１，２１をコントローラ(ｃｏｎｔｒｏｌｌｅｒ)、マイクロコントローラ(ｍｉｃｒｏｃｏｎｔｒｏｌｌｅｒ)、マイクロプロセッサ(ｍｉｃｒｏｐｒｏｃｅｓｓｏｒ)、マイクロコンピュータ(ｍｉｃｒｏｃｏｍｐｕｔｅｒ)などと呼ぶこともできる。プロセッサ１１，２１は、ハードウェア(ｈａｒｄｗａｒｅ)又はファームウェア(ｆｉｒｍｗａｒｅ)、ソフトウェア、又はこれらの結合によって具現されてもよい。ハードウェアを用いて本発明を具現する場合は、本発明を実行するように構成されたＡＳＩＣｓ(ａｐｐｌｉｃａｔｉｏｎ  ｓｐｅｃｉｆｉｃ  ｉｎｔｅｇｒａｔｅｄ  ｃｉｒｃｕｉｔｓ)、ＤＳＰｓ(ｄｉｇｉｔａｌ  ｓｉｇｎａｌ  ｐｒｏｃｅｓｓｏｒｓ)、ＤＳＰＤｓ(ｄｉｇｉｔａｌ  ｓｉｇｎａｌ  ｐｒｏｃｅｓｓｉｎｇ  ｄｅｖｉｃｅｓ)、ＰＬＤｓ(ｐｒｏｇｒａｍｍａｂｌｅ  ｌｏｇｉｃ  ｄｅｖｉｃｅｓ)、ＦＰＧＡｓ(ｆｉｅｌｄ  ｐｒｏｇｒａｍｍａｂｌｅ  ｇａｔｅ  ａｒｒａｙｓ)などがプロセッサ１１，２１に設けられてもよい。一方、ファームウェアやソフトウェアを用いて本発明を具現する場合は、本発明の機能又は動作を実行するモジュール、手順又は関数などを含むようにファームウェアやソフトウェアが構成されてもよい。本発明を実行できるように構成されたファームウェア又はソフトウェアは、プロセッサ１１，２１内に設けられたりメモリ１２，２２に格納されてプロセッサ１１，２１によって駆動されてもよい。
【０２１５】
送信装置１０におけるプロセッサ１１は、プロセッサ１１又はプロセッサ１１に接続しているスケジューラからスケジューリングされて外部に送信される信号及び／又はデータに対して所定の符号化(ｃｏｄｉｎｇ)及び変調(ｍｏｄｕｌａｔｉｏｎ)を行った後、送信機／受信機１３に送信する。例えば、プロセッサ１１は、送信しようとするデータ列を逆多重化、チャネル符号化、スクランブリング、及び変調の過程などを経てＫ個のレイヤに変換する。符号化されたデータ列はコードワードとも呼ばれ、ＭＡＣ層が提供するデータブロックである伝送ブロックと等価である。一伝送ブロック(ｔｒａｎｓｐｏｒｔ  ｂｌｏｃｋ，ＴＢ)は一コードワードに符号化され、各コードワードは一つ以上のレイヤの形態で受信装置に送信される。周波数上り変換のために送信機／受信機１３はオシレータ(ｏｓｃｉｌｌａｔｏｒ)を含むことができる。送信機／受信機１３はＮｔ個(Ｎｔは１以上の正の整数)の送信アンテナを含むことができる。
【０２１６】
受信装置２０の信号処理過程は、送信装置１０の信号処理過程の逆となる。プロセッサ２１の制御下に、受信装置２０の送信機／受信機２３は送信装置１０から送信された無線信号を受信する。送信機／受信機２３は、Ｎｒ個の受信アンテナを含むことができ、送信機／受信機２３は受信アンテナから受信した信号のそれぞれを周波数下り変換して(ｆｒｅｑｕｅｎｃｙ  ｄｏｗｎ−ｃｏｎｖｅｒｔ)基底帯域信号に復元する。送信機／受信機２３は、周波数下り変換のためにオシレータを含むことができる。プロセッサ２１は、受信アンテナから受信した無線信号に対する復号(ｄｅｃｏｄｉｎｇ)及び復調(ｄｅｍｏｄｕｌａｔｉｏｎ)を行い、送信装置１０が本来送信しようとしたデータに復元することができる。
【０２１７】
送信機／受信機１３，２３は一つ以上のアンテナを具備する。アンテナは、プロセッサ１１，２１の制御下に、本発明の一実施例によって、送信機／受信機１３，２３で処理された信号を外部に送信したり、外部から無線信号を受信して送信機／受信機１３，２３に伝達する機能を果たす。アンテナはアンテナポートと呼ばれることもある。各アンテナは一つの物理アンテナに該当したり、２以上の物理アンテナ要素(ｅｌｅｍｅｎｔ)の組み合わせによって構成されてもよい。各アンテナから送信された信号は受信装置２０によってそれ以上分解されることはない。当該アンテナに対応して送信された参照信号(ｒｅｆｅｒｅｎｃｅ  ｓｉｇｎａｌ，ＲＳ)は受信装置２０の観点で見たアンテナを定義し、チャネルが一物理アンテナからの単一(ｓｉｎｇｌｅ)無線チャネルであるか、或いは当該アンテナを含む複数の物理アンテナ要素(ｅｌｅｍｅｎｔ)からの合成(ｃｏｍｐｏｓｉｔｅ)チャネルであるかに関係なく、受信装置２０にとって当該アンテナに対するチャネル推定を可能にする。すなわち、アンテナは、該アンテナ上のシンボルを伝達するチャネルが同一アンテナ上の他のシンボルが伝達される前記チャネルから導出されるように定義される。複数のアンテナを用いてデータを送受信する多重入出力(Ｍｕｌｔｉ−Ｉｎｐｕｔ  Ｍｕｌｔｉ−Ｏｕｔｐｕｔ、ＭＩＭＯ)機能を支援する送信機／受信機の場合は２個以上のアンテナに接続されてもよい。
【０２１８】
本発明の実施例において、端末又はＵＥは上りリンクでは送信装置１０として動作し、下りリンクでは受信装置２０として動作する。本発明の実施例において、基地局又はｅＮＢは上りリンクでは受信装置２０として動作し、下りリンクでは送信装置１０として動作する。
【０２１９】
送信装置及び／又は受信装置は、上述した本発明の実施例のうちの少なくとも１つ又は２つ以上の実施例の組み合わせを実行することができる。
【０２２０】
上述したように開示された本発明の好適な実施例に関する詳細な説明は、当業者が本発明を具現して実施し得るように提供された。以上では本発明の好適な実施例を参照して説明したが、当該技術の分野における熟練した者には、添付の特許請求の範囲に記載された本発明を様々に修正及び変更できるということが理解できる。したがって、本発明はここに示した実施の形態に制限されるものではなく、ここに開示された原理及び新規な特徴と一致する最も広い範囲を付与するためのものである。
【産業上の利用可能性】
【０２２１】
本発明は、端末、リレー、基地局などのような通信装置に利用可能である。
【図１】
2019532545.tif 000030
【図２】
2019532545.tif 000031
【図３】
2019532545.tif 000032
【図４】
2019532545.tif 000033
【図５】
2019532545.tif 000034
【図６】
2019532545.tif 000035
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
無線通信システムにおいて、端末（ＵＥ）がチャネル状態情報(ｃｈａｎｎｅｌ ｓｔａｔｅ ｉｎｆｏｒｍａｔｉｏｎ；ＣＳＩ)を報告する方法であって、
基地局（ＢＳ）から非周期的ＣＳＩ要請を受信するステップと、
前記非周期的ＣＳＩ要請に関連したＣＳＩ参照リソースを決定するステップと、
前記ＣＳＩ参照リソースに基づいてＣＳＩ報告を前記基地局へ送信するステップとを含み、
前記ＣＳＩ参照リソースを決定するステップにおいて、前記端末は、前記端末が短縮されたプロセッシング時間で設定されるか否かに基づいて、前記ＣＳＩ参照リソースと、前記ＣＳＩ報告が送信される時間リソースの間の最小時間間隔を決定する、方法。
【請求項２】
前記短縮されたプロセッシング時間が設定された場合、前記端末は前記短縮されたプロセッシング時間が設定されない場合の最小時間間隔より短い最小時間間隔を決定する、請求項１に記載の方法。
【請求項３】
前記短縮されたプロセッシング時間が設定された場合の最小時間間隔は３であり、前記短縮されたプロセル時間が設定されない場合の最小時間間隔は４である、請求項２に記載の方法。
【請求項４】
前記短縮されたプロセッシング時間が設定されると、前記ＣＳＩ参照リソースを含むサブフレームが、前記非周期的ＣＳＩ要請が受信されたサブフレームと異なると前記端末が決定することを許容する、請求項１に記載の方法。
【請求項５】
前記基地局から前記短縮されたプロセッシング時間に関連した情報を受信するステップをさらに含む、請求項１に記載の方法。
【請求項６】
前記ＣＳＩ報告が送信される前記時間リソースのインデックスが「ｎ」であり、前記ＣＳＩ参照リソースのインデックスが「ｎ−ｎＣＯＬ＿ｒｅｆ」であり、前記最小時間間隔が「ｎＣＯＬ＿ｒｅｆ」の最小値を示し、
前記端末は、「ｎＣＯＬ＿ｒｅｆ」は前記ＣＳＩ参照リソースが有効ダウンリンク時間リソースであるとするために値の中の前記最小時間間隔より小さくない最小値であると決定する、請求項１に記載の方法。
【請求項７】
前記ＣＳＩ報告が送信される前記時間リソースはサブフレーム「ｎ」であり、
前記端末は、前記ＣＳＩ報告を前記サブフレーム「ｎ」で物理アップリンク共有チャネル（ＰＵＳＣＨ）を介して送信する、請求項6に記載の方法。
【請求項８】
前記非周期的ＣＳＩ要請は、ユーザ特定検索空間（ＵＳＳ）で物理ダウンリンク共有チャネル（ＰＤＳＣＨ）を介して受信される、請求項１に記載の方法。
【請求項９】
チャネル状態情報（ＣＳＩ）を報告する端末（ＵＥ）であって、
受信機と、
送信機と、
前記受信機を介して基地局（ＢＳ）から非周期的ＣＳＩ要請を受信し、前記非周期的ＣＳＩ要請に関連したＣＳＩ参照リソースを決定し、前記送信機を介して前記基地局へ前記ＣＳＩ参照リソースに基づいてＣＳＩ報告を送信する、プロセッサとを備え、
前記ＣＳＩ参照リソースを決定するにおいて、前記プロセッサは、前記プロセッサが短縮されたプロセッシング時間で設定されるか否かに基づいて、前記ＣＳＩ参照リソースと、前記ＣＳＩ報告が送信される時間リソースの間の最小時間間隔を決定する、端末。
【請求項１０】
前記短縮されたプロセッシング時間が設定された場合、前記プロセッサは前記短縮されたプロセッシング時間が設定されない場合の最小時間間隔より短い最小時間間隔を決定する、請求項９に記載の端末。
【請求項１１】
前記短縮されたプロセッシング時間が設定された場合の最小時間間隔は３であり、前記短縮されたプロセル時間が設定されない場合の最小時間間隔は４である、請求項１０に記載の端末。
【請求項１２】
前記短縮されたプロセッシング時間が設定されると、前記ＣＳＩ参照リソースを含むサブフレームが、前記非周期的ＣＳＩ要請が受信されたサブフレームと異なると前記プロセッサが決定することを許容する、請求項９に記載の端末。
【請求項１３】
前記プロセッサは、前記基地局から前記短縮されたプロセッシング時間に関連した情報を前記受信機を介して受信する、請求項９に記載の端末。
【請求項１４】
前記ＣＳＩ報告が送信される前記時間リソースのインデックスが「ｎ」であり、前記ＣＳＩ参照リソースのインデックスが「ｎ−ｎＣＯＬ＿ｒｅｆ」であり、前記最小時間間隔が「ｎＣＯＬ＿ｒｅｆ」の最小値を示し、
前記プロセッサは、「ｎＣＯＬ＿ｒｅｆ」は前記ＣＳＩ参照リソースが有効ダウンリンク時間リソースであるとするために値の中の前記最小時間間隔より小さくない最小値であると決定する、請求項９に記載の端末。
【請求項１５】
前記ＣＳＩ報告が送信される前記時間リソースはサブフレーム「ｎ」であり、
前記端末は、前記ＣＳＩ報告を前記サブフレーム「ｎ」で物理アップリンク共有チャネル（ＰＵＳＣＨ）を介して送信する、請求項１４に記載の端末。
【国際調査報告】
2019532545.tif 000036
2019532545.tif 000037
2019532545.tif 000038
2019532545.tif 000039